(57)【要約】      （修正有）【課題】動画の映像記憶が可能な撮影映像機能付き携帯電話機を手操作と手に持つことを必要としない個人的使用目的、社会的使用目的、防犯的使用目的等を人間または自動車等の移動手段で可能とし移動中の撮影の自動化と消費電力を節約する自動制御の節電型自動録画機能付き携帯電話機を提供する。【解決手段】選択スイッチ９の選択位置で人間または自動車等の移動手段に切替え所定箇所に装着する動画映像と音声を記憶部１０に記憶する機能を具備する携帯電話機１において、記憶部１０の制御プログラムにより設定されているＧＰＳ受信部２と地球磁気センサ部３と傾斜角度センサ５の測位データの信号からの座標移動の有無、方位移動の有無、カメラアングルの良否を制御部１２の判断に基づいて、動作モード及び動画映像と音声に関わる電気回路の電源の起動ＯＮ／ＯＦＦと、動画映像と音声の記憶の開始と停止と、スピーカ７の電子音の出力を自動制御する。【選択図】図１２
2005341543.tif 000002
【特許請求の範囲】
【請求項１】
人間または自動車等の移動手段の予め定められた箇所に装備する撮影映像機能を用いて動画映像と音声を記憶部に記憶処理する機能を具備している携帯電話機において、筐体の外側には地球の重力に対して垂直に姿勢を保持できるものまたは保持できないものを選択スイッチで選択する選択手段と、前記選択スイッチの選択位置を検出し判断する選択検出手段と、筐体内には現在地で向いている方向の地球磁気を検知する地球磁気検知手段と、前記地球磁気を所定時間毎に測位し地球磁気の方位値を算出する地球磁気演算手段と、前記算出毎に地球磁気の方位値を比較する地球磁気比較手段と、衛星からのＧＰＳ信号を検知するＧＰＳ検知手段と、前記ＧＰＳ信号を受信し現在地を所定時間毎に測位し現在地の座標値を算出する現在地演算手段と、前記算出毎に現在地の座標値を比較する現在地比較手段とを具備し、前記地球磁気の方位値の算出毎に比較した結果と、前記ＧＰＳの現在地の座標値の算出毎に比較した結果に基づいて、現在地の方位移動の有無の判断と現在地の位置移動の有無の判断により、自動で動画映像と音声の機能に関わる電気回路の電源を供給し自動で動画映像と音声の記憶を開始し、また、現在地の方位移動の有無の判断と現在地の位置移動の有無の判断により、自動で動画映像と音声の記憶を停止し自動で動画映像と音声の機能に関わる電気回路の電源を切断することの自動制御することを特徴とする節電型自動録画機能付き携帯電話機。
【請求項２】
人間または自動車等の移動手段の予め定められた箇所に装備する撮影映像機能を用いて動画映像と音声を記憶部に記憶処理する機能を具備している携帯電話機において、筐体の外側には地球の重力に対して垂直に姿勢を保持できるものまたは保持できないものを選択スイッチで選択する選択手段と、前記選択スイッチの選択位置を検出し判断する選択検出手段と、筐体内には現在地で向いている方向の地球磁気を検知する地球磁気検知手段と、前記地球磁気の現在地の方位値を所定時間毎に測位し前記測位毎の方位値から方位の移動角度の値を算出する地球磁気移動量演算手段と、前記算出毎の地球磁気の移動角度の値に対応する所定の設定値を記憶する地球磁気移動量設定記憶手段と、前記算出毎の地球磁気の移動角度の値と前記地球磁気移動量設定記憶手段に記憶している所定の設定値を比較する地球磁気移動量比較手段と、衛星からのＧＰＳ信号を検知するＧＰＳ検知手段と、前記ＧＰＳ信号を受信し現在地の座標値を所定時間毎に測位し前記測位毎の座標値から位置の移動距離の値を算出する現在地移動量演算手段と、前記算出毎の現在地の移動距離の値に対応する所定の設定値を記憶する現在地移動量設定記憶手段と、前記算出毎の現在地の移動距離の値と前記現在地移動量設定記憶手段に記憶している所定の設定値を比較する現在地移動量比較手段とを具備し、前記地球の重力に対して垂直に姿勢を保持できるものまたは保持できないものを選択した結果と、前記算出毎の地球磁気の移動角度の値と前記地球磁気移動量設定記憶手段の所定の設定値を比較した結果と、前記ＧＰＳの現在地の移動距離の値と前記現在地移動量設定記憶手段の所定の設定値を比較した結果に基づいて、現在地の方位移動の有無の判断と現在地の位置移動の有無の判断により、自動で動画映像と音声の機能に関わる電気回路の電源を供給し自動で動画映像と音声の記憶を開始し、また、現在地の方位移動の有無の判断と現在地の位置移動の有無の判断により、自動で動画映像と音声の記憶を停止し自動で動画映像と音声の機能に関わる電気回路の電源を切断することの自動制御することを特徴とする節電型自動録画機能付き携帯電話機。
【請求項３】
請求項１または請求項２において、さらにカメラレンズが具備されている筐体内にカメラレンズが動画映像の被写体を撮る方向を向いている前後左右の傾斜角度を検知するカメラレンズの傾斜角度検知手段と、前記傾斜角度を所定時間毎に測位し傾斜角度値を算出する傾斜角度演算手段と、前記算出毎の傾斜角度値に対応する所定の設定値を記憶する傾斜角度設定記憶手段と、前記算出毎の傾斜角度値と前記傾斜角度設定記憶手段の所定の設定値を比較する傾斜角度比較手段とを具備し、前記比較した結果に基づいて傾斜角度の良否の判断により、前記傾斜角度値が不良の場合は自動で警告音を表示装置より所定時間出力し且つ自動で動画映像と音声の記憶を停止し、さらに所定時間内に傾斜角度値が良好にならなかったと判断された場合は、自動で動画映像と音声の機能に関わる電気回路の電源を切断することの自動制御することを特徴とする節電型自動録画機能付き携帯電話機。
【請求項４】
請求項２において、現在地の移動距離の値を算出する別の算出手段として、カメラレンズを通して映し出される１つの画面に縦横等間隔のＸ軸とＹ軸の格子状の座標値を画面全体に設定する座標値設定手段と、前記画面に映し出される映像の物体を動的物体と静的物体に識別する物体識別手段と、前記静的物体の複数個に座標値の目印となるマークを映像に合成し付与するマーク画像処理手段と、前記静的物体に付与したマークの測位点のＸ軸とＹ軸の座標値を所定時間毎に測位し前記Ｘ軸とＹ軸の測位毎の座標値から画面上の移動距離の値を算出する画面移動量演算手段と、前記画面移動量演算手段で測位毎に算出する移動距離の値とＧＰＳの現在地移動量演算手段で測位毎に算出する現在地の移動距離の値と比較する移動量比較手段とを具備し、前記比較した結果に基づいて、前記ＧＰＳの現在地移動量演算手段で測位毎に算出する現在地の移動距離の値に対する前記画面移動量演算手段で測位毎に算出する移動距離の値の比を求め、この前記求めた画面上の各座標値の比を記憶手段に設定し、前記記憶手段に設定された比は定期的に点検し補正するとともに前記設定された比を用いて画面上のマークの測位点となる各座標値から算出された前記マークの移動距離の値と前記設定された比より、現在地の移動距離の値を算出するようになっていることを特徴とする節電型自動録画機能付き携帯電話機。
【請求項５】
請求項２において、カメラレンズを通して映し出される１つの映像の画面に縦横等間隔のＸ軸とＹ軸の格子状の座標値を画面全体に設定する座標値設定手段と、前記１つの画面を所定個数のＸ軸とＹ軸の縦横等間隔のエリアに分割する画面エリア分割手段と、前記分割された各々のエリアの画面に分割されて映し出される映像の物体を動的物体と静的物体に識別する物体識別手段と、前記静的物体の複数個に座標値の目印となるマークを映像に合成し付与するマーク画像処理手段と、前記静的物体に付与したマークの測位点のＸ軸とＹ軸の座標値を所定時間毎に測位し前記Ｘ軸とＹ軸の測位毎の座標値から画面上の移動距離の値を算出する画面移動量演算手段とを具備し、映し出される画面上の静的物体に付与したマークのＸ軸とＹ軸の座標値の所定時間毎に測位した結果に基づいて、前記画面上の静的物体にマークを付与して移動距離の値の算出ができる可能エリアと映像の中の障害物で算出ができない不可能エリアの選別の処理を実施し、さらに前記選別後に可能エリアと不可能エリアの画面上の静的物体に座標値を示すマークの付与の処理の可否を選別し可能エリアのみマークを付与する処理を実施することを特徴とする節電型自動録画機能付き携帯電話機。
【請求項６】
請求項２において、カメラレンズを通して映し出される１つの映像の画面に縦横等間隔のＸ軸とＹ軸の格子状の座標値を画面全体に設定する座標値設定手段と、前記１つの画面を所定個数のＸ軸とＹ軸の縦横等間隔のエリアに分割する画面エリア分割手段と、前記分割された各々のエリアの画面に分割されて映し出される映像の物体を動的物体と静的物体に識別する物体識別手段と、前記静的物体の複数個に座標値の目印となるマークを映像に合成し付与するマーク画像処理手段と、前記静的物体に付与したマークの測位点のＸ軸とＹ軸の座標値を所定時間毎に測位し前記Ｘ軸とＹ軸の測位毎の座標値から画面上の移動距離の値を算出する画面移動量演算手段とを具備し、映し出される画面上の静的物体に付与したマークのＸ軸とＹ軸の座標値の所定時間毎に測位した結果に基づいて、前記画面上の静的物体にマークを付与して移動距離の値の算出ができる可能エリアと映像に映っている障害物で算出ができない不可能エリアの選別の処理を実施し、さらに前記選別後に可能エリアと不可能エリアの映像処理の可否を選別し、前記可能エリアのみ映像処理と動画映像を記憶部に記憶する処理を実施することを特徴とする節電型自動録画機能付き携帯電話機。
【請求項７】
請求項４または請求項５または請求項６において、動画映像と音声に関わる電気回路が起動し電源が供給され前記動画映像と音声の記憶を開始している場合において、ＧＰＳの受信感度が悪くなり受信できない状態で前記ＧＰＳのデータを用いて現在地の移動距離の算出ができない場合は、前記現在地の移動距離の算出はＧＰＳに代えて画面に映し出される映像を用いた処理で実施するようになっていることを特徴とする節電型自動録画機能付き携帯電話機。
【請求項８】
請求項２において、選択手段の地球の重力に対して垂直に姿勢を保持できるものまたは保持できないものを選択する選択スイッチの選択位置によって、地球磁気移動量設定記憶手段に記憶する地球磁気の移動角度の値に対応する所定の設定値は異なった設定に切替わり、現在地の方位移動の有無の判断に用いる前記所定の設定値は前記保持できないものを選択している方が方位移動を判断する感度が上がり前記判断に要する所定の設定値は小さい角度の設定になっていることを特徴とする節電型型自動録画機能付き携帯電話機。
【請求項９】
請求項２において、選択手段の地球の重力に対して垂直に姿勢を保持できるものまたは保持できないものを選択する選択スイッチの選択位置によって、現在地移動量設定記憶手段に記憶する現在地の移動距離の値に対応する所定の設定値は異なった設定に切替わり、現在地の位置移動の有無の判断に用いる前記所定の設定値は前記保持できないものを選択している方が位置移動を判断する感度が下がり前記判断に要する所定の設定値は長い距離の設定になっていることを特徴とする節電型自動録画機能付き携帯電話機。
【請求項１０】
請求項３において、選択手段の地球の重力に対して垂直に姿勢を保持できるものまたは保持できないものを選択する選択スイッチの選択位置によって、傾斜角度設定記憶手段に記憶する前後左右の使用可能傾斜角度領域の所定の設定値は異なった設定に切替わり、携帯電話機の傾斜角度の良否の判断に用いる所定の設定値は前記保持できないものを選択している方が映像を撮るカメラレンズの前記使用可能傾斜角度領域の良好となる判断の傾斜角度の範囲は広い設定になっていることを特徴とする節電型自動録画機能付き携帯電話機。
【請求項１１】
請求項１または請求項２において、選択手段の地球の重力に対して垂直に姿勢を保持できるものまたは保持できないものを選択する選択スイッチの設定は、前記選択の保持できるものは人間が予め決められた所定の箇所に装着する手段であり、前記選択の保持できないものは移動手段の自動車、トラック、バス、自動二輪、自転車、船舶、電車、等の乗り物に予め決められた所定の箇所に装着する手段であり、これら区別することができる選択スイッチを携帯電話機筐体の外側に具備していることを特徴とする節電型自動録画機能付き携帯電話機。
【請求項１２】
請求項１または請求項２において、動画映像と音声に関わる電気回路が起動し電源が供給されている場合は、遠隔操作の専用ソフトで要求元の携帯電話機またはパソコンの遠隔操作で要求先の携帯電話機番号と認証ＩＤとパスワードを入力し、要求先の携帯電話機に通信網を経由して前記入力したデータを送信することによって、前記データを受信した要求先の携帯電話機は要求元の遠隔操作の指示に従って、現在の映像をリアルタイムに要求元の携帯電話機またはパソコンに自動でデータを送信することにより要求元は自動でリアルタイムの動画映像と音声を視聴できるようになっていることを特徴とする節電型自動録画機能付き携帯電話機。
【請求項１３】
請求項１または請求項２において、動画映像と音声に関わる電気回路が起動し電源が供給されている場合は、遠隔操作の専用ソフトで要求元の携帯電話機またはパソコンの遠隔操作で要求先の携帯電話機番号と認証ＩＤとパスワードを入力し、要求先の携帯電話機に通信網を経由して前記入力したデータを送信することによって、前記データを受信した要求先の携帯電話機は要求元の遠隔操作の指示に従って、要求元の携帯電話機またはパソコンのマイクより自動でリアルタイムに要求先の携帯電話機の表示装置より音声を出力することが可能となり、そのまま会話できるようになっていることを特徴とする節電型自動録画機能付き携帯電話機。
【請求項１４】
請求項１または請求項２において、動画映像と音声に関わる電気回路の起動の有無に関係なく、遠隔操作の専用ソフトで要求元の携帯電話機またはパソコンの遠隔操作で要求先の携帯電話機番号と認証ＩＤとパスワードを入力し、要求先の携帯電話機に通信網を経由して前記入力したデータを送信することによって、前記データを受信した要求先の携帯電話機は要求元の遠隔操作の指示に従って、記憶部の動画映像と音声のファイルの番号またはファイル名を検索し存在した場合は前記ファイルの番号またはファイル名を選択できるように要求元の携帯電話機またはパソコンに前記検索結果のデータを送信し、前記検索結果のデータを受信した要求元が前記ファイルの番号またはファイル名を選択し要求先の携帯電話機にデータを送信することにより、前記データを受信した要求先の携帯電話機は記憶部に記憶されている動画映像と音声を要求元の携帯電話機またはパソコンにデータを送信することによって、要求元は携帯電話機またはパソコンで選択した動画映像と音声を自動で視聴できるようになっていることを特徴とする節電型自動録画機能付き携帯電話機。
【請求項１５】
請求項１または請求項２において、遠隔操作の専用ソフトで要求元の携帯電話機またはパソコンの遠隔操作で要求先の携帯電話機番号と認証ＩＤとパスワードを入力し、要求先の携帯電話機に通信網を経由して前記入力したデータを送信することによって、前記データを受信した要求先の携帯電話機が遠隔操作できる状態になった場合は、要求先の携帯電話機は電話着信音、メールの着信音、自動録画の告知音と異なる電子音または異なる表示画面で要求先の携帯電話機は遠隔操作に入ったことを表示装置より出力するようになっていることを特徴とする節電型自動録画機能付き携帯電話機。
【請求項１６】
請求項１または請求項２において、自動で動画映像と音声の記憶を停止し自動で動画映像と音声の機能に関わる電気回路の電源の切断後に、携帯電話機の設定により、動画映像と音声のデータの記憶の保存が記憶部に実施されている場合は所定のインターネットメールアドレスまたは電話番号に前記動画映像と音声のデータが添付されたファイルを自動で送信するようになっていることを特徴とする節電型自動録画機能付き携帯電話機。
【請求項１７】
請求項１または請求項２において、選択手段の地球の重力に対して垂直に姿勢を保持できるものまたは保持できないものを選択する選択スイッチは筐体の外側に具備し、スライドスイッチまたは押しボタンスイッチからなり、自動録画の制御を実施しない自動録画機能ＯＦＦの設定と、地球の重力に対して垂直に姿勢を保持できるものに対応した自動録画の制御の設定と、地球の重力に対して垂直に姿勢を保持できないものに対応した自動録画の制御の設定の選択がワンタッチで各設定の仕様が切替えられるようになっていることを特徴とする節電型自動録画機能付き携帯電話機。
【請求項１８】
請求項１または請求項２における本発明の節電型自動録画機能付き携帯電話機は、自動録画機能が開始しているときは、内蔵の無線部から他の節電型自動録画機能付き携帯電話機に自動録画になっていることを示すデータの電波を所定の範囲に自動で送信し告知するようになっていることを特徴とする節電型自動録画機能付き携帯電話機。
【請求項１９】
請求項１または請求項２における本発明の節電型自動録画機能付き携帯電話機は、他の節電型自動録画機能付き携帯電話機から自動録画になっていることを示す告知のデータの電波を内蔵の無線部が受信したら表示装置の表示画面または電子音で告知を受信したことを出力するようになっていることを特徴とする節電型自動録画機能付き携帯電話機。
【請求項２０】
請求項１または請求項２において、現在地の方位移動の有無の判断と現在地の位置移動の有無の判断において、前記現在地の方位移動無しと現在地の位置移動無しの双方の判断が同一状態の時間が所定時間以上の場合に静止状態であると判断させてから、自動で動画映像と音声の記憶を停止し、自動で動画映像と音声の機能に関わる電気回路の電源を切断するようになっていることを特徴とする節電型自動録画機能付き携帯電話機。
【請求項２１】
請求項１または請求項２において、動画映像と音声の記憶を開始している状態の場合は携帯電話機に具備している表示装置のモニタ電源は自動で切断するようになっていることを特徴とする節電型自動録画機能付き携帯電話機。
【発明の詳細な説明】
【技術分野】
【０００１】
本発明は、動画映像の撮影が可能な撮影映像機能付き携帯電話機を手操作と手に持つことを必要としない所定箇所に装着している人間または所定箇所に装着する自動車等の移動手段に具備して方位移動または位置移動の有無の判断に基づいて、自動で動画映像と音声に関わる電気回路の電源供給を制御するとともに自動で動画映像と音声の記憶の開始と停止を制御する防犯装置としても利用可能な公序良俗に反しない節電型自動録画機能付き携帯電話機に関するものである。
【背景技術】
【０００２】
現在、行楽地やレジャー等で動画映像と音声が記憶できる機能が装備されている携帯電話機は移動しながらの撮影や普通の撮影は、手に持って動画モードの機能を設定し起動して電源を供給してから撮影したい被写体にカメラレンズを向けて映像の記憶の開始と停止を操作しなければならないようになっている。そして、撮影する人は撮影中の表示画面の液晶パネルやファインダーが付属の場合はこれらを見て映像をＲＡＭ系のフラッシュメモリ等の記憶部に記憶するようにしている。しかし、移動中の撮影においては携帯電話機を手に持つことから足が躓いたり転んだりした場合は危険であり、視線が表示している液晶パネルを見ていることからも周囲の状況判断において反応が遅れることがあり移動中の撮影は危険である。これら前記移動中の撮影は危険なためにあまり移動中の撮影はされていないのが実情である。また、撮影する担当の人は撮影で時間が束縛され折角の行楽地場所では綺麗な風景や季節を十分に楽しめなくなっている。また、移動中の動画映像として残したかったハプニングや自然な感じの動画映像を記憶部に記憶するのは撮影を意識するあまり困難である。
【０００３】
そして、この携帯電話機で動画映像と音声を記憶するには手に持って動画モードの設定にして動画映像と音声に関わる電気回路の電源の供給の電源スイッチとなるボタンを押して起動し、撮影の記憶の開始スイッチと停止スイッチのボタンを押すことの手操作をしなければならない。
【０００４】
動画映像と音声に関わる電気回路の電源の供給の電源スイッチとなるボタンを押して起動したならば、記憶の有無に関係なく以下の電気回路で電力を消費するようになっており、前記動画映像と音声に関わる電気回路にはカメラレンズによりズームに関わる駆動回路、前記カメラレンズを通して映像の被写体を撮影するＣＣＤ素子等の撮影映像素子回路、前記撮影映像素子回路で撮影した被写体の映像や電子的処理によりズームに関わる回路等の映像処理回路、前記映像処理回路で処理された映像を記憶する記憶回路、ファインダーが装備されている場合はズームに関わる駆動回路、映像を見るための液晶ディスプレイ等の表示装置回路、被写体との距離を自動測定しピントを自動で合わせるオートフォーカス回路、音声をマイクから検出して音声処理する表示装置の音声処理回路等とこれらを制御する制御回路で電力が常時消費されるようになっている。
【０００５】
動画映像と音声に関わる電気回路は映像処理等の制御処理に要する消費電力が大きいために動画映像と音声を記憶しない状態でも消費電力を多大に消費している。この節電の対策として撮影後は手操作で電源をＯＦＦしなければならない。また、撮影に合わせてこまめに電源の起動ＯＮ／ＯＦＦの作業が何回も発生することの手操作が面倒であるとともに前記手操作が必要なために手に持っていなければならない。そして、毎日使用するには使い勝手の利便性が悪い。
【０００６】
また、身に着ける防犯装置としては、防犯ブザーがあるがこれは音が鳴るだけであって、もし不審者がいた場合は証拠（容姿、会話等）が得られにくいとともに不審者であるかいなかの判断が子供や老人等では困難である。そして、ブザー音は大きな音量で鳴ることから場所によっては間違って鳴った場合は周りの迷惑となる。このブザー音の大音量が要因で防犯ブザーを支給されても身に着けていない小学生等の児童の存在があるとともに利用効果としてはブザー音だけなので身に着けていることの利便性が悪い。
【０００７】
また、携帯電話機の中にＧＰＳで現在地の座標値が分かるようになっているものがあり、未成年の子供や老人等に防犯という用途で持たせている例はあるが、これは単なる所持者の現在地が分かるのみであって、今日の過去や現在おかれている状態が理解できないので早急な保護及び監督ができないことより防犯としての利便性が悪い。
【０００８】
また、携帯電話機に撮影映像機能を内蔵して動画映像と音声が記憶できるようになっているものがあり、もし、防犯として利用するには手持ちと手操作が必要で防犯として用いるにはいちいち手操作が必要であることから面倒くさいとともに撮影の記憶開始のスイッチを入れることを忘れたりして必要な映像が撮れなかったり、また、反対に電源の入れた状態であることを忘れたり、記憶停止のスイッチを押し忘れて不必要に映像を記憶してバッテリを多大に消耗したりして防犯として用いる場合には使い勝手の利便性が悪い。そして、不審者の事件は通勤時や通学時や外出時等に多い。
【０００９】
また、不審者と看做した人を映像に残すように子供等に教育した場合には手持ちと手操作が必要であるとともにカメラレンズを相手に向けることが必要で自然体でないことから不審者で無かった場合は反対に相手に不快感を与え別の意味で危険である。
【発明の開示】
【発明が解決しようとする課題】
【００１０】
そこで、上記現状の移動中の撮影は携帯電話機筐体外側のスイッチによる動画モードを設定し起動して動画映像と音声に関わる電気回路に電源を供給し携帯電話機筐体外側のスイッチによる動画映像と音声の記憶の開始と停止を実施するのに手操作と手持ちであることが必要であり、そして、移動中の撮影は手に持っての手操作が必要であることから、撮影者の負担となっている手操作のスイッチによる動画モード及び起動の電源のＯＮ／ＯＦＦ、動画映像と音声の記憶の開始と停止を実施することの撮影者負担を軽減できるように人間の服装やカバン等の所定の箇所に携帯電話機を装着することにより、または自動車等の乗り物の所定の箇所に携帯電話機を装着することにより、公序良俗に反しない自動制御で携帯電話機が移動中または静止中の判断によって、自動で動画モードを設定し動画映像と音声に関わる電気回路の起動の電源のＯＮ／ＯＦＦと、自動で動画映像と音声の記憶の開始と停止の処理を自動制御するとともに移動中以外は前記動画映像と音声に関わる電気回路の電源を切断し電源ＯＦＦすることにより消費電力を節約する。
【００１１】
また、携帯電話機の動画映像と音声の記憶を用いて防犯装置として使用できるように、通勤、通学等の移動中の撮影が動画映像と音声を記憶しているときは周りの人に不快感が無いようにするとともに手持ちと手操作が要らないように自然体で使用できるように携帯電話機の動画モード及び起動の電源のＯＮ／ＯＦＦと記憶の開始と停止の処理を通学、通勤等の移動中の防犯装置としての自動制御する。
【００１２】
また、人間以外の防犯装置として移動手段として用いられる自動車、トラック、バス、自動二輪、自転車、船舶、電車、等移動中の撮影が安全にできるようにする。例えば自動車運転中の自動車事故が万が一発生しても警察の現場検証に役立ち、真実の証拠が残せるようにフロントガラス前方の撮影ができる所定箇所に装着して動画モード及び起動の電源のＯＮ／ＯＦＦと記憶の開始と停止の処理を自動車の移動中の防犯装置として自動制御する。
【００１３】
防犯装置として動画映像と音声の記憶の他に防犯装置を身に着けていることの告知を送受信する機能で不審者が近づけないように告知の送受信の処理を自動制御する。
【００１４】
これら上記の携帯電話機を使用者、保護者、監督者、この他許可を得たものはいつでも遠隔操作で状況把握が容易に可能とする公序良俗に反しない節電型自動録画機能付き携帯電話機を提供する。
【課題を解決するための手段】
【００１５】
上記の課題を解決するために、請求項１に記載の発明は、人間または自動車等の移動手段の予め定められた箇所に装備するカメラ機能を用いて動画映像と音声を記憶部に記憶する機能を具備している携帯電話機において、筐体の外側には地球の重力に対して垂直に姿勢を保持できるものまたは保持できないものを選択スイッチで選択する選択手段と、前記選択スイッチの選択位置を検出し判断する選択検出手段と、筐体内には現在地で向いている方向の地球磁気を検知する地球磁気検知手段と、前記地球磁気を所定時間毎に測位し地球磁気の方位値を算出する地球磁気演算手段と、前記算出毎に地球磁気の方位値を比較する地球磁気比較手段と、衛星からのＧＰＳ信号を検知するＧＰＳ検知手段と、前記ＧＰＳ信号を受信し現在地を所定時間毎に測位し現在地の座標値を算出する現在地演算手段と、前記算出毎に現在地の座標値を比較する現在地比較手段とを具備し、前記地球磁気の方位値の算出毎に比較した結果と、前記ＧＰＳの現在地の座標値の算出毎に比較した結果に基づいて、現在地の方位移動の有無の判断と現在地の位置移動の有無の判断により、自動で動画映像と音声の機能に関わる電気回路の電源を供給し自動で動画映像と音声の記憶を開始し、また、現在地の方位移動の有無の判断と現在地の位置移動の有無の判断により、自動で動画映像と音声の記憶を停止し自動で動画映像と音声の機能に関わる電気回路の電源を切断することの自動制御することを特徴としているものである。
【００１６】
請求項２に記載の発明は、人間または自動車等の移動手段の予め定められた箇所に装備するカメラ機能を用いて動画映像と音声を記憶部に記憶する機能を具備している携帯電話機において、筐体の外側には地球の重力に対して垂直に姿勢を保持できるものまたは保持できないものを選択スイッチで選択する選択手段と、前記選択スイッチの選択位置を検出し判断する選択検出手段と、筐体内には現在地で向いている方向の地球磁気を検知する地球磁気検知手段と、前記地球磁気の現在地の方位値を所定時間毎に測位し前記測位毎の方位値から方位の移動角度の値を算出する地球磁気移動量演算手段と、前記算出毎の地球磁気の移動角度の値に対応する所定の設定値を記憶する地球磁気移動量設定記憶手段と、前記算出毎の地球磁気の移動角度の値と前記地球磁気移動量設定記憶手段に記憶している所定の設定値を比較する地球磁気移動量比較手段と、衛星からのＧＰＳ信号を検知するＧＰＳ検知手段と、前記ＧＰＳ信号を受信し現在地の座標値を所定時間毎に測位し前記測位毎の座標値から位置の移動距離の値を算出する現在地移動量演算手段と、前記算出毎の現在地の移動距離の値に対応する所定の設定値を記憶する現在地移動量設定記憶手段と、前記算出毎の現在地の移動距離の値と前記現在地移動量設定記憶手段に記憶している所定の設定値を比較する現在地移動量比較手段とを具備し、前記地球の重力に対して垂直に姿勢を保持できるものまたは保持できないものを選択した結果と、前記算出毎の地球磁気の移動角度の値と前記地球磁気移動量設定記憶手段の所定の設定値を比較した結果と、前記ＧＰＳの現在地の移動距離の値と前記現在地移動量設定記憶手段の所定の設定値を比較した結果に基づいて、現在地の方位移動の有無の判断と現在地の位置移動の有無の判断により、自動で動画映像と音声の機能に関わる電気回路の電源を供給し自動で動画映像と音声の記憶を開始し、また、現在地の方位移動の有無の判断と現在地の位置移動の有無の判断により、自動で動画映像と音声の記憶を停止し自動で動画映像と音声の機能に関わる電気回路の電源を切断することの自動制御することを特徴としているものである。
【００１７】
請求項３に記載の発明は、請求項１または請求項２において、さらにカメラレンズが具備されている筐体内にカメラレンズが動画映像の被写体を撮る方向を向いている前後左右の傾斜角度を検知するカメラレンズの傾斜角度検知手段と、前記傾斜角度を所定時間毎に測位し傾斜角度値を算出する傾斜角度演算手段と、前記算出毎の傾斜角度値に対応する所定の設定値を記憶する傾斜角度設定記憶手段と、前記算出毎の傾斜角度値と前記傾斜角度設定記憶手段の所定の設定値を比較する傾斜角度比較手段とを具備し、前記比較した結果に基づいて傾斜角度の良否の判断により、前記傾斜角度値が不良の場合は自動で警告音を表示装置より所定時間出力し且つ自動で動画映像と音声の記憶を停止し、さらに所定時間内に傾斜角度値が良好にならなかったと判断された場合は、自動で動画映像と音声の機能に関わる電気回路の電源を切断することの自動制御することを特徴としているものである。
【００１８】
請求項４に記載の発明は、請求項２において、現在地の移動距離の値を算出する別の算出手段として、カメラレンズを通して映し出される１つの画面に縦横等間隔のＸ軸とＹ軸の格子状の座標値を画面全体に設定する座標値設定手段と、前記画面に映し出される映像の物体を動的物体と静的物体に識別する物体識別手段と、前記静的物体の複数個に座標値の目印となるマークを映像に合成し付与するマーク画像処理手段と、前記静的物体に付与したマークの測位点のＸ軸とＹ軸の座標値を所定時間毎に測位し前記Ｘ軸とＹ軸の測位毎の座標値から画面上の移動距離の値を算出する画面移動量演算手段と、前記画面移動量演算手段で測位毎に算出する移動距離の値とＧＰＳの現在地移動量演算手段で測位毎に算出する現在地の移動距離の値と比較する移動量比較手段とを具備し、前記比較した結果に基づいて、前記ＧＰＳの現在地移動量演算手段で測位毎に算出する現在地の移動距離の値に対する前記画面移動量演算手段で測位毎に算出する移動距離の値の比を求め、この前記求めた画面上の各座標値の比を記憶手段に設定し、前記記憶手段に設定された比は定期的に点検し補正するとともに前記設定された比を用いて画面上のマークの測位点となる各座標値から算出された前記マークの移動距離の値と前記設定された比より、現在地の移動距離の値を算出するようになっていることを特徴としているものである。
【００１９】
請求項５に記載の発明は、請求項２において、カメラレンズを通して映し出される１つの映像の画面に縦横等間隔のＸ軸とＹ軸の格子状の座標値を画面全体に設定する座標値設定手段と、前記１つの画面を所定個数のＸ軸とＹ軸の縦横等間隔のエリアに分割する画面エリア分割手段と、前記分割された各々のエリアの画面に分割されて映し出される映像の物体を動的物体と静的物体に識別する物体識別手段と、前記静的物体の複数個に座標値の目印となるマークを映像に合成し付与するマーク画像処理手段と、前記静的物体に付与したマークの測位点のＸ軸とＹ軸の座標値を所定時間毎に測位し前記Ｘ軸とＹ軸の測位毎の座標値から画面上の移動距離の値を算出する画面移動量演算手段とを具備し、映し出される画面上の静的物体に付与したマークのＸ軸とＹ軸の座標値の所定時間毎に測位した結果に基づいて、前記画面上の静的物体にマークを付与して移動距離の値の算出ができる可能エリアと映像の中の障害物で算出ができない不可能エリアの選別の処理を実施し、さらに前記選別後に可能エリアと不可能エリアの画面上の静的物体に座標値を示すマークの付与の処理の可否を選別し可能エリアのみマークを付与する処理を実施することを特徴とする節電型自動録画機能付き携帯電話機。
【００２０】
請求項６に記載の発明は、請求項２において、カメラレンズを通して映し出される１つの映像の画面に縦横等間隔のＸ軸とＹ軸の格子状の座標値を画面全体に設定する座標値設定手段と、前記１つの画面を所定個数のＸ軸とＹ軸の縦横等間隔のエリアに分割する画面エリア分割手段と、前記分割された各々のエリアの画面に分割されて映し出される映像の物体を動的物体と静的物体に識別する物体識別手段と、前記静的物体の複数個に座標値の目印となるマークを映像に合成し付与するマーク画像処理手段と、前記静的物体に付与したマークの測位点のＸ軸とＹ軸の座標値を所定時間毎に測位し前記Ｘ軸とＹ軸の測位毎の座標値から画面上の移動距離の値を算出する画面移動量演算手段とを具備し、映し出される画面上の静的物体に付与したマークのＸ軸とＹ軸の座標値の所定時間毎に測位した結果に基づいて、前記画面上の静的物体にマークを付与して移動距離の値の算出ができる可能エリアと映像に映っている障害物で算出ができない不可能エリアの選別の処理を実施し、さらに前記選別後に可能エリアと不可能エリアの映像処理の可否を選別し、前記可能エリアのみ映像処理と動画映像を記憶部に記憶する処理を実施することを特徴とする節電型自動録画機能付き携帯電話機。
【００２１】
請求項７に記載の発明は、請求項４または請求項５または請求項６において、動画映像と音声に関わる電気回路が起動し電源が供給され前記動画映像と音声の記憶を開始している場合において、ＧＰＳの受信感度が悪くなり受信できない状態で前記ＧＰＳのデータを用いて現在地の移動距離の算出ができない場合は、前記現在地の移動距離の算出はＧＰＳに代えて画面に映し出される映像を用いた処理で実施するようになっていることを特徴としているものである。
【００２２】
請求項８に記載の発明は、請求項２において、選択手段の地球の重力に対して垂直に姿勢を保持できるものまたは保持できないものを選択する選択スイッチの選択位置によって、地球磁気移動量設定記憶手段に記憶する地球磁気の移動角度の値に対応する所定の設定値は異なった設定に切替わり、現在地の方位移動の有無の判断に用いる前記所定の設定値は前記保持できないものを選択している方が方位移動を判断する感度が上がり前記判断に要する所定の設定値は小さい角度の設定になっていることを特徴としているものである。
【００２３】
請求項９に記載の発明は、請求項２において、選択手段の地球の重力に対して垂直に姿勢を保持できるものまたは保持できないものを選択する選択スイッチの選択位置によって、現在地移動量設定記憶手段に記憶する現在地の移動距離の値に対応する所定の設定値は異なった設定に切替わり、現在地の位置移動の有無の判断に用いる前記所定の設定値は前記保持できないものを選択している方が位置移動を判断する感度が下がり前記判断に要する所定の設定値は長い距離の設定になっていることを特徴としているものである。
【００２４】
請求項１０に記載の発明は、請求項３において、選択手段の地球の重力に対して垂直に姿勢を保持できるものまたは保持できないものを選択する選択スイッチの選択位置によって、傾斜角度設定記憶手段に記憶する前後左右の使用可能傾斜角度領域の所定の設定値は異なった設定に切替わり、携帯電話機の傾斜角度の良否の判断に用いる所定の設定値は前記保持できないものを選択している方が映像を撮るカメラレンズの前記使用可能傾斜角度領域の良好となる判断の傾斜角度の範囲は広い設定になっていることを特徴としているものである。
【００２５】
請求項１１に記載の発明は、請求項１または請求項２において、選択手段の地球の重力に対して垂直に姿勢を保持できるものまたは保持できないものを選択する選択スイッチの設定は、前記選択の保持できるものは人間が予め決められた所定の箇所に装着する手段であり、前記選択の保持できないものは移動手段の自動車、トラック、バス、自動二輪、自転車、船舶、電車、等の乗り物に予め決められた所定の箇所に装着する手段であり、これら区別することができる選択スイッチを携帯電話機筐体の外側に具備していることを特徴としているものである。
【００２６】
請求項１２に記載の発明は、請求項１または請求項２において、動画映像と音声に関わる電気回路が起動し電源が供給されている場合は、遠隔操作の専用ソフトで要求元の携帯電話機またはパソコンの遠隔操作で要求先の携帯電話機番号と認証ＩＤとパスワードを入力し、要求先の携帯電話機に通信網を経由して前記入力したデータを送信することによって、前記データを受信した要求先の携帯電話機は要求元の遠隔操作の指示に従って、現在の映像をリアルタイムに要求元の携帯電話機またはパソコンに自動でデータを送信することにより要求元は自動でリアルタイムの動画映像と音声を視聴できるようになっていることを特徴としているものである。
【００２７】
請求項１３に記載の発明は、請求項１または請求項２において、動画映像と音声に関わる電気回路が起動し電源が供給されている場合は、遠隔操作の専用ソフトで要求元の携帯電話機またはパソコンの遠隔操作で要求先の携帯電話機番号と認証ＩＤとパスワードを入力し、要求先の携帯電話機に通信網を経由して前記入力したデータを送信することによって、前記データを受信した要求先の携帯電話機は要求元の遠隔操作の指示に従って、要求元の携帯電話機またはパソコンのマイクより自動でリアルタイムに要求先の携帯電話機の表示装置より音声を出力することが可能となり、そのまま会話できるようになっていることを特徴としているものである。
【００２８】
請求項１４に記載の発明は、請求項１または請求項２において、動画映像と音声に関わる電気回路の起動の有無に関係なく、遠隔操作の専用ソフトで要求元の携帯電話機またはパソコンの遠隔操作で要求先の携帯電話機番号と認証ＩＤとパスワードを入力し、要求先の携帯電話機に通信網を経由して前記入力したデータを送信することによって、前記データを受信した要求先の携帯電話機は要求元の遠隔操作の指示に従って、記憶部の動画映像と音声のファイルの番号またはファイル名を検索し存在した場合は前記ファイルの番号またはファイル名を選択できるように要求元の携帯電話機またはパソコンに前記検索結果のデータを送信し、前記検索結果のデータを受信した要求元が前記ファイルの番号またはファイル名を選択し要求先の携帯電話機にデータを送信することにより、前記データを受信した要求先の携帯電話機は記憶部に記憶されている動画映像と音声を要求元の携帯電話機またはパソコンにデータを送信することによって、要求元は携帯電話機またはパソコンで選択した動画映像と音声を自動で視聴できるようになっていることを特徴としているものである。
【００２９】
請求項１５に記載の発明は、請求項１または請求項２において、遠隔操作の専用ソフトで要求元の携帯電話機またはパソコンの遠隔操作で要求先の携帯電話機番号と認証ＩＤとパスワードを入力し、要求先の携帯電話機に通信網を経由して前記入力したデータを送信することによって、前記データを受信した要求先の携帯電話機が遠隔操作できる状態になった場合は、要求先の携帯電話機は電話着信音、メールの着信音、自動録画の告知音と異なる電子音または異なる表示画面で要求先の携帯電話機は遠隔操作に入ったことを表示装置より出力するようになっていることを特徴としているものである。
【００３０】
請求項１６に記載の発明は、請求項１または請求項２において、自動で動画映像と音声の記憶を停止し自動で動画映像と音声の機能に関わる電気回路の電源の切断後に、携帯電話機の設定により、動画映像と音声のデータの記憶の保存が記憶部に実施されている場合は所定のインターネットメールアドレスまたは電話番号に前記動画映像と音声のデータが添付されたファイルを自動で送信するようになっていることを特徴としているものである。
【００３１】
請求項１７に記載の発明は、請求項１または請求項２において、選択手段の地球の重力に対して垂直に姿勢を保持できるものまたは保持できないものを選択する選択スイッチは筐体の外側に具備し、スライドスイッチまたは押しボタンスイッチからなり、自動録画の制御を実施しない自動録画機能ＯＦＦの設定と、地球の重力に対して垂直に姿勢を保持できるものに対応した自動録画の制御の設定と、地球の重力に対して垂直に姿勢を保持できないものに対応した自動録画の制御の設定の選択がワンタッチで各設定の仕様が切替えられるようになっていることを特徴としているものである。
【００３２】
請求項１８に記載の発明は、請求項１または請求項２における本発明の節電型自動録画機能付き携帯電話機は、自動録画機能が開始しているときは、内蔵の無線部から他の節電型自動録画機能付き携帯電話機に自動録画になっていることを示すデータの電波を所定の範囲に自動で送信し告知するようになっていることを特徴としているものである。
【００３３】
請求項１９に記載の発明は、請求項１または請求項２における本発明の節電型自動録画機能付き携帯電話機は、他の節電型自動録画機能付き携帯電話機から自動録画になっていることを示す告知のデータの電波を内蔵の無線部が受信したら表示装置の表示画面または電子音で告知を受信したことを出力するようになっていることを特徴としているものである。
【００３４】
請求項２０に記載の発明は、請求項１または請求項２において、現在地の方位移動の有無の判断と現在地の位置移動の有無の判断において、前記現在地の方位移動無しと現在地の位置移動無しの双方の判断が同一状態の時間が所定時間以上の場合に静止状態であると判断させてから、自動で動画映像と音声の記憶を停止し、自動で動画映像と音声の機能に関わる電気回路の電源を切断するようになっていることを特徴としているものである。
【００３５】
請求項２１に記載の発明は、請求項１または請求項２において、動画映像と音声の記憶を開始している状態の場合は携帯電話機に具備している表示装置のモニタ電源は自動で切断するようになっていることを特徴としているものである。
【発明の効果】
【００３６】
行楽地やレジャー等で移動中の撮影は携帯電話機の手持ちと手操作が不要であることから、移動中の撮影は手に持つことなく人間の洋服等の決められた箇所に装着することにより、撮影者の負担が軽減されるとともに撮影者も移動中の会話や景色が楽しめる。また、自由な発想の使い勝手の元で動画映像と音声を記憶部に記憶ができることによって、芸術や新しい撮影映像のスタイルができて楽しめるようになる。
【００３７】
現在の現在地の位置が分かるＧＰＳ機能だけの携帯電話機を持たせているのは防犯効果が期待できない事から、子供の服装やランドセル等に動画映像と音声を記憶部に記憶できるように携帯電話機を装着していることにより、子供の通学途中や外出時の保護及び監督が動画映像と音声がいつでも容易に確認できることによって、いつでも防犯ができるとともに告知音で不審者が近づけなくなる。また、動画映像と音声の記憶を通信またはインターネット等の通信網で撮影の記憶停止後に記憶部に記憶した動画映像と音声を送信するように設定することにより、常時子供等の動向が分かり防犯効果が期待できる。そして、学校に居るときや自宅にいるとき等は服装を着替える、ランドセルを置くことにより携帯電話機は移動しないことから電源が自動でＯＦＦになることによってバッテリが節約され長持ちする。また、携帯電話機の手持ちと手操作が不要であることから歩行や走ったりしているときに万が一転んでも両手が自由なので受身が取れて安全である。
【００３８】
子供から大人まで洋服やカバン等で動画映像が取れるように装着していることにより、通学や通勤等で防犯装置の役割を果たす外出レコーダになり、万が一の事故等に巻き込まれたときの証拠として動画映像を警察に提供できる。そして、学校や会社に居るときや移動を伴わない動作をしているときは電源が自動でＯＦＦになることによってバッテリが節約され長持ちする。また、携帯電話機の手持ちと手操作が不要であることから歩行や走ったりしているときに万が一転んでも両手が自由なので受身が取れて安全である。
【００３９】
自動車のフロントガラス前方の映像が取れる洋服の箇所に装着することにより、走行中に多い事故等の場合に前方の撮影映像の航行レコーダとなる。また、自動車のフロントガラスやダッシュボード等にフロントガラス前方の映像が撮れるように装着しても同じ効果が得られる。そして、停車中や渋滞状態の場合は電源が自動でＯＦＦになることによってバッテリが節約され長持ちする。また、手持ちと手操作が不要であることから自動車の運転は運転操作に影響無く安全である。
【００４０】
町内の見廻り等をする警察官や刑事に装着していることにより、現行犯等の捜査に役立つとともにパトカーで追跡中にフロントガラス前方の撮影が記憶部に記憶できるように警察官や刑事の洋服または自動車のダッシュボード等に装着することによって、容易に暴走車等の追跡にも利用が期待できる。そして、警察署に居るときや携帯電話機をジャケット等の服装に装着していて脱いでいた場合や移動を伴わない動作をしているときは電源が自動でＯＦＦになることによってバッテリが節約され長持ちする。また、捜査中は携帯電話機の手持ちと手操作が無い状態で動画映像と音声が記憶できることから捜査の効率が向上するとともに両手が自由に使えるので仕事に集中できる。そして、いつでも上司の命令やアドバイスが遠隔操作によって容易に受けられる。
【００４１】
本発明を数多くの街の人々が身に着けておくことにより、装着している人が自然に各所で動画映像と音声を記憶部に記憶していることから、街全体が防犯装置でカバーされることになり不審者を撃退することができる。
【００４２】
通常は自動車の移動距離または移動速度を算出するには自動車の車軸やエンジンに具備されている車速パルス発生装置から導いたケーブルを探して別ケーブルを接続して車速パルスを取らなければならないが、本発明で用いている画面に表示している映像から移動距離または移動速度を算出することができることから、メーカ別及び車種別に異なった作業マニュアルが不要であるとともに車速パルスが必要な装置があった場合は容易に誰でも簡単に前記車速パルスに変わる信号で対応が可能となる。例えばカーナビゲーションシステムの自律航行に用いる自動車からの車速パルスに代えて携帯電話機の移動距離または移動速度を算出した信号をケーブル接続端子で対応することにより容易に誰でも取ることができるようになる。
【発明を実施するための最良の形態】
【００４３】
本発明の実施例について説明する。本発明は自動で動画モードを設定し動画映像と音声に関わる電気回路の起動の電源のＯＮ／ＯＦＦの制御と動画映像と音声の記憶の開始と停止の制御を手持ちと手操作を必要としないで自動制御で実施するようにしたものである。
【００４４】
動画映像と音声に関わる電気回路として、カメラレンズによりズームに関わる駆動回路、前記カメラレンズを通して映像の被写体を撮影するＣＣＤ素子等の撮影映像素子回路、前記撮影映像素子回路で撮影した被写体の映像や電子的処理によりズームに関わる回路等の映像処理回路、前記映像処理回路で処理された映像と音声を記憶する記憶回路、ファインダーが装備されている場合のズームに関わる駆動回路、映像を見るための液晶ディスプレイ等の表示装置回路、被写体との距離を自動測定しピントを自動で合わせるオートフォーカス回路、音声をマイクから検出して音声処理する表示装置の音声処理回路等とこれらを制御する制御回路を自動制御し動画モード及び起動の電源のＯＮ／ＯＦＦと動画映像と音声の記憶の開始と停止を手操作無しで処理を実施するようになっている。
【００４５】
はじめに図１の携帯電話機のカメラレンズ、ＧＰＳ、各種センサ、選択スイッチ等構成図について説明する。図１の携帯電話機のカメラレンズ、ＧＰＳ、各種センサ、選択スイッチ等構成図は携帯電話機１で通常の通信を用いて会話することやインターネットを用いてＷＥＢやメール等できる機能、カメラレンズを通して写真や動画映像を撮る機能を具備している通常の手持ちと手操作により使用可能としている携帯電話機１でもある。
【００４６】
そして、本発明の携帯電話機１筐体の内側には衛星からの位置情報をＧＰＳアンテナから位置情報データを受信するＧＰＳ受信部２と、東西南北全方位の地球磁気の方位を検知する地球磁気センサ部３と、カメラレンズを通してＣＣＤ素子等の撮影映像受像部４が被写体の映像を撮るカメラレンズのアングルの前後左右（斜め含む）の傾斜角度を検知する傾斜角度センサ部５と、本発明の携帯電話機１筐体の外側には地球の重力に対して垂直に姿勢を保持できるものまたは保持できないものを選択する選択スイッチ９の構成図を示している。
【００４７】
傾斜角度センサ部５は２つ折式の携帯電話機１の場合もカメラレンズが具備されている筐体内に具備するようになっている。ＧＰＳ受信部２と地球磁気センサ部３は携帯電話機１の筐体内で各種の情報を検知することができるならば筐体内ならどの箇所でも具備しても良いようになっている。そして、選択スイッチ９は地球の重力に対して垂直に姿勢を保持できるものすなわち使用目的が人間使用の仕様の選択と、保持できないものすなわち使用目的が自動車等の乗り物使用の仕様の選択と、本発明の機能をＯＦＦにして手持ちと手操作が必要になる通常使用の自動録画機能ＯＦＦの選択の何れかを選択して設定するスライドスイッチまたは押しボタンスイッチ等のスイッチが設けられており、個人が使用目的に合わせて選択するようになっている。
【００４８】
次に図２の地球磁気センサの方向移動検知における動画映像と音声の記憶に関わる制御の判断を示す上面図、図３のＧＰＳの位置移動検知における動画映像と音声の記憶に関わる制御の判断を示す上面図、図４の傾斜角度センサの傾斜角度検知における動画映像と音声の記憶に関わる制御の前後方向の良否の判断を示す側面図、図５の傾斜角度センサの傾斜角度検知における動画映像と音声の記憶に関わる制御の左右方向の良否の判断を示す前面図を用いて説明する。
【００４９】
図２の地球磁気センサの方向移動検知における動画映像と音声の記憶に関わる制御の判断を示す上面図は、人間の胸部前にカメラレンズを前方にして携帯電話機１を装着している場合において、装着している人間の地球磁気センサ部３が方位の方向移動が右回り、左回りしたときの方位が変化することの検知した信号をＣＰＵ等で構成する制御部１２は判断するようになっている。
【００５０】
本発明では、ＲＯＭ、ＲＡＭ等の記憶部１０の設定は方位の方向移動が右回り、左回りしたときに方位が変化することの地球磁気センサ部３で検知した方位値の信号を制御部１２は判断し、前記方位値で方向移動が右回りまたは左回りしたときの方位の変化の有無の制御部１２の判断に従って、動作モード及び動画映像と音声に関わる電気回路の起動の電源のＯＮ／ＯＦＦの制御と、動画映像と音声のＲＡＭ系のフラッシュメモリ等の記憶媒体の記憶部１０の記憶の開始と停止の制御の処理を自動で実施するようになっている。
【００５１】
制御部１２の判断において、方向移動が右回りまたは左回りの方位の変化があると判断された場合は自動で動画モード及び動画映像と音声の記憶に関わる電気回路の電源を供給し動画映像と音声の記憶を開始するようになっている。また、制御部１２の判断において、現在地の方位の方向移動が静止したと判断された場合は動画映像と音声の記憶を停止し動画モード及び動画映像と音声に関わる電気回路の電源を切断する処理を自動で実施するようになっている。
【００５２】
また、筐体外側に設けられている選択スイッチ９は本発明の人間が使用する仕様の動画モードと、自動車等の乗り物で使用する仕様の動画モードがあり、この前記人間が使用する仕様または自動車等の乗り物で使用する仕様の選択の設定により、各々の仕様において、地球磁気センサ部３からの信号を所定時間毎に方位値を測位し前記測位毎の方位値から方位の移動角度の値を算出した結果と記憶部１０に設定されている前記移動角度の値に対応した所定の設定値を比較して方位の変化の有無の判断を制御部１２はするようになっている。そして、制御部１２において、前記算出した方位の移動角度の値が前記所定の設定値より大きい場合は方位は方向移動していると判断され自動で動画モード及び動画映像と音声の記憶に関わる電気回路の電源を供給し動画映像と音声の記憶を開始するようになっている。また、前記算出した方位の移動角度の値が前記所定の設定値より小さい場合は方位の方向移動が静止していると判断され自動で動画映像と音声の記憶を停止し動画モード及び動画映像と音声に関わる電気回路の電源を切断するようになっている。
【００５３】
また、選択スイッチ９は人間が使用する仕様または自動車等の乗り物で使用する仕様の選択の設定により、方向転換や小回りが困難な自動車等の乗り物で使用する仕様は方向転換や小回りが容易にできる人間が使用する仕様より、方位の変化の有無の制御部１２の判断に用いる記憶部１０の設定の所定の設定値は小さくなっている。これによって、方向転換や小回りが困難な自動車はハンドル操作の操舵角が少なくても方位の移動の変化を適切に判断できるようになっている。
【００５４】
例えば制御部１２の判断で通常の歩行において人間が使用する仕様の場合に記憶部１０に設定されている所定の設定値の感度が方位の３６０度の７２分割の設定すなわち設定値５度／ｓの方位の変化で最適に判断するようになっている場合は、自動車等の乗り物で使用する仕様は３度／ｓ（１２０分割）、２度／ｓ（１８０分割）等の方位の感度を上げ自動車の特性の仕様に合わせて最適に判断することができる設定で方位の変化の有無を監視するようになっている。
【００５５】
図３のＧＰＳの位置移動検知における動画映像と音声の記憶に関わる制御の判断を示す上面図は、人間の胸部前にカメラレンズを前方にして携帯電話機１を装着している場合において、装着している人間のＧＰＳ受信部２が現在地の位置情報データの受信データにより、全方位の現在地の位置の座標値が歩行、走ったり等で座標の位置が変化することの検知した信号をＣＰＵ等で構成する制御部１２は判断するようになっている。
【００５６】
本発明では、ＲＯＭ、ＲＡＭ等の記憶部１０の設定は現在地の位置の座標値が歩行、走ったり等で座標の位置が変化することのＧＰＳ受信部２で受信した座標値の信号を制御部１２は判断し、前記座標値で位置移動の変化の有無の制御部１２の判断に従って、動画モード及び動画映像と音声に関わる電気回路の起動の電源のＯＮ／ＯＦＦの制御と、動画映像と音声のＲＡＭ系のフラッシュメモリ等の記憶媒体の記憶部１０の記憶の開始と停止の制御の処理を自動で実施するようになっている。
【００５７】
制御部１２の判断において、現在地の座標値に変化があると判断された場合は、自動で動画映像と音声の記憶に関わる電気回路の電源を供給し自動で動画映像と音声の記憶を開始する制御を実施するようになっている。また、制御部１２の判断において、現在地の座標の位置移動が静止したと判断された場合は自動で動画映像と音声の記憶を停止し自動で動画映像と音声に関わる電気回路の電源を切断する制御の処理を実施するようになっている。
【００５８】
また、筐体外側に設けられている選択スイッチ９は本発明の人間が使用する仕様の動画モードと、自動車等の乗り物で使用する仕様の動画モードがあり、この前記人間が使用する仕様または自動車等の乗り物で使用する仕様の選択の設定により、各々の仕様において、ＧＰＳ受信部２からの信号を所定時間毎に座標値を測位し前記測位毎の座標値から移動距離の値を算出した結果と記憶部１０に設定されている前記移動距離の値に対応した所定の設定値を比較して移動距離の変化の有無の判断を制御部１２はするようになっている。そして、制御部１２において、前記算出した移動距離の値が前記所定の設定値より大きい場合は位置移動していると判断され自動で動画モード及び動画映像と音声の記憶に関わる電気回路の電源を供給し動画映像と音声の記憶を開始するようになっている。また、制御部１２において、前記算出した移動距離の値が前記所定の設定値より小さい場合は位置移動していない静止していると判断され自動で動画映像と音声の記憶を停止し動画モード及び動画映像と音声に関わる電気回路の電源を切断するようになっている。
【００５９】
また、選択スイッチ９は人間が使用する仕様または自動車等の乗り物で使用する仕様の選択の設定により、移動速度が速い自動車等の乗り物で使用する仕様は移動速度が遅い人間が使用する仕様より、移動距離の変化の有無の制御部１２の判断に用いる記憶部１０の設定の所定の設定値は長い距離の設定になっている。これによって、移動速度が速い自動車は現在地の位置移動の判断に用いる所定の設定値が長い距離になっていることにより、事故が少ない渋滞や停車中等の移動速度が遅いときは自動で動画映像と音声の記憶を停止し自動で動画モード及び動画映像と音声に関わる電気回路の電源を切断する制御の処理を実施するようになっている。この制御によって、消費電力が抑えられることによりバッテリ１１が長持ちする。また、選択スイッチ９の自動車等の乗り物で使用する仕様は自動車等の乗り物専用の設定であり人間が装着しての使用目的では歩行や走ったりしての利用はできないようになっている。
【００６０】
例えば制御部１２の判断で自動車の走行において、自動車等の乗り物で使用する仕様の場合に記憶部１０に設定されている所定の設定値の感度が４．２ｍ／ｓ（時速１５ｋｍ）以上の移動距離が長い距離（移動速度が速い）の設定で位置移動していると判断する等して、人間がこの自動車等の乗り物で使用する仕様では正常な撮影ができない使用不可となる適切な移動距離の値に対応した設定値の設定にするようになっている。また、人間が使用する仕様に用いる場合は移動距離の値に対応した所定の設定値は０．１ｍ／ｓ以上等の距離の短い設定しておくことにより移動速度が遅い小さい子供や老人に適切に対応できるようになっている。
【００６１】
本発明では、この上記説明の図２と図３の方位と座標の変化による移動の有無の判断を組合せた処理の自動制御によって、自動で動画モード及び動画映像と音声の記憶に関わる電源の供給と切断、そして、自動で動画映像と音声の記憶の開始と停止の制御が実施されるようになっており、人間と移動手段の自動車、トラック、バス、自動二輪、自転車、船舶、電車、等に携帯電話機１ですべてに対応が可能となっている。
【００６２】
本発明以外に振動センサ等も考察してみたが、携帯電話機１を装着する場所や取付位置によって振動の共振点がまったく異なることから振動センサでは正確に人間または移動手段の自動車、トラック、バス、自動二輪、自転車、船舶、電車、等に装着しての移動有無を判断することは困難であるとともに人間や乗り物に装着する場所の素材（軟質な物のゴム、プラスチック、スポンジ、繊維等、硬質な物の金属、ガラス等）も考慮しなければならず使い勝手が悪い。例えば身近な例で言うと、自動車のフロントガラスの中央側とピラー側では振動周波数、振幅幅、共振点、が異なることからも安定した性能が得られない。
【００６３】
また、例えば自動車では停止中のアイドリング時の判断が振動センサでは振動を検知することによって移動していないと判断することは困難であるが、地球磁気センサ部３とＧＰＳ受信部２は容易にアイドリング時は方位値と座標値が変化しないことの信号により制御部１２は静止していると判断し自動で動画映像の記憶の停止と自動で動画モード及び動画映像と音声に関する電気回路の電源の切断することによってバッテリ１１の消費電力が節約できるとともに動画映像と音声を記憶するフラッシュメモリ等の記憶媒体の記憶容量も無駄な記憶を残さず節約できるようになっている。
【００６４】
図４の傾斜角度センサの傾斜角度検知における動画映像と音声の記憶に関わる制御の前後方向の良否の判断を示す側面図は、本発明の携帯電話機１を装着した場合において、傾斜角度センサ部５が携帯電話機１の前後方向の傾斜角度を検知した信号をＣＰＵ等で構成する制御部１２が傾斜角度が大きいと判断したときに動画映像と音声のフラッシュメモリ等の記憶媒体の記憶の停止を実施し、前記停止の実施後に警報音または音声ガイドを表示装置（スピーカ）７より出力するようになっている。
【００６５】
図４の例では、ＲＯＭ、ＲＡＭ等の記憶部１０の傾斜角度値の設定はＡを基準として傾斜角度センサ部５の使用可能傾斜角度領域をＢの０〜６０度までとＣの０〜−６０度までとしている。この他の傾斜角度では使用できないようにカメラアングルが傾斜不良であると制御部１２は判断し動画映像と音声の記憶はできないとともに警報音や音声ガイドを表示装置（スピーカ）７から出力するようになっている。そして、前記警報音や音声ガイドが出力されている場合は使用不可能傾斜角度領域となっている。例えば警報音は「ピーピーピー」、「ピンポーンピンポーン」等の電子音、警報音声ガイドは「撮影角度は不良になっています。カメラアングルを補正して下さい」等の電子音を自動で表示装置（スピーカ）７から出力するようになっている。
【００６６】
制御部１２の判断において、警報音、警報音声ガイド後に補正に要する所定時間内にカメラアングルの傾斜角度が補正されなかったら自動で動画モード及び動画映像と音声の記憶に関わる電気回路の電源供給を切断するようになっている。また、使用可能傾斜角度領域及び使用不可能傾斜角度領域の傾斜角度値の設定は各々の形状の携帯電話機１と選択スイッチ９の選択位置に対応して適切な設定を記憶部１０に予めするようになっており、傾斜角度±６０度に限定されるものではない。
【００６７】
このカメラアングルの良否の判断は携帯電話機１を装着するものと動画映像と音声を確認するものが子供や老人等に装着する場合は保護者や監督者等の別人になることが多いことから、カメラアングルが傾いた動画映像の場合は確認する人間の状況判断が困難になるので綺麗な被写体の動画映像を常に撮れるようにして確認者の負担を軽減するものである。例えば、Ｂ方向の傾斜が大きい場合は地面ばかりの撮影映像、Ｃ方向の傾斜が大きい場合は空ばかりの撮影映像にならないように警報音や警報音声ガイドで装着している人間に手直しを自動で要求するようになっている。また、一般ユーザで個人本人が撮影と撮影後の確認する場合も同じである。
【００６８】
図５の傾斜角度センサの傾斜角度検知における動画映像と音声の記憶に関わる制御の左右方向の良否の判断を示す側面図は、本発明の携帯電話機１を装着した場合において、傾斜角度センサ部５が左右方向の傾斜角度を検知した信号をＣＰＵ等で構成する制御部１２が傾斜角度が大きいと判断したときに自動で動画映像と音声のフラッシュメモリ等の記憶媒体の記憶の停止を実施し、前記停止の実施後に警報音や音声ガイドを表示装置（スピーカ）７より出力するようになっている。
【００６９】
図５の例では、ＲＯＭ、ＲＡＭ等の記憶部１０の傾斜角度値の設定はＤを基準として傾斜角度センサ部５の使用可能傾斜角度領域をＥの０〜６０度までとＦの０〜−６０度までとしている。この他のカメラアングルの傾斜角度では使用不可能傾斜角度領域となり使用できないように傾斜不良であると制御部１２は判断し自動で動画映像と音声の記憶はできないとともに警報音や音声ガイドを表示装置（スピーカ）７より出力するようになっている。前記警報音には「ポーポーポー」、「ポンピーンポンピーン」等の前後方向の傾斜角度ＮＧとは異なる電子音、警報音声ガイドは「撮影角度は斜めになっています。カメラアングルを補正して下さい」等の前後方向の傾斜角度ＮＧとは異なる電子音を自動で表示装置（スピーカ）７から出力するようになっている。
【００７０】
制御部１２の判断において、警報音、警報音声ガイド後に補正に要する所定時間内にカメラアングルの傾斜角度が補正されなかったら自動で動画モード及び動画映像と音声の記憶に関わる電気回路の電源供給を切断するようになっている。また、使用可能傾斜角度領域及び使用不可能傾斜角度領域の傾斜角度値の設定は各々の形状の携帯電話機１と選択スイッチ９の選択位置に対応して適切な設定を記憶部１０に予めするようになっており、傾斜角度±６０度に限定されるものではない。警報音や音声ガイドの電子音の設定は自由に変更可能である。
【００７１】
このカメラアングルの良否の判断は携帯電話機１を装着するものと動画映像と音声を確認するものが子供や老人等に装着する場合は保護者や監督者等の別人になることが多いことから、カメラアングルが傾いた動画映像の場合は確認する人間の状況判断が困難になるので綺麗な動画映像を常に撮れるようにして確認者の負担を軽減するものであり、警報音や警報音声ガイドで装着している人間に手直しを自動で要求するようになっている。また、一般ユーザで個人本人が撮影と撮影後の確認する場合も同じである。
【００７２】
この上記説明の図４と図５の傾斜角度センサ部５によって、被写体が常に正確に撮れるように本発明の装着者に指示できるようになっている。また、傾斜角度センサ部５の使用可能傾斜角度領域及び使用不可能傾斜角度領域の記憶部１０の設定は、選択スイッチ９選択の自動録画機能ＯＦＦの通常使用ができる設定無しの設定と、地球の重力に対して垂直に姿勢を保持できるものを選択した場合は人間が使用する仕様の設定と、地球の重力に対して垂直に姿勢を保持できないものを選択した場合の自動車等の乗り物で使用する仕様の設定がある。また、上記のＡとＤを基準としての人間が使用する仕様の使用可能傾斜角度領域は自動車等の乗り物で使用する仕様よりカメラアングルのが良好と判断される傾斜角度の設定の幅は狭くなる設定値に予め設定するようになっている。
【００７３】
また、この傾斜角度センサ部５は自動録画の機能が悪用されないように盗撮等の悪意ある人間が自動録画を用いて不正使用できなくしている。また、傾斜角度の設定の幅が広くなっている自動車等の乗り物使用の仕様を用いて人間に装着しても予め前記自動車等の乗り物使用の仕様には、自動車等の移動手段は人間より速い移動速度で移動できることからＧＰＳ等の移動距離の条件が入っていることにより、自動録画の機能が悪用されないようになっている。
【００７４】
また、傾斜角度センサ部５の傾斜角度が使用不可能傾斜角度領域に入れば必ず綺麗な動画映像を常に撮れるように傾きを補正する指示を制御部１２は警報音や警報の音声ガイドで表示装置（スピーカ）７から電子音で出力するようになっているので、この前記電子音でも盗撮等の悪用には使用できなくなっている。
【００７５】
次に図６のカバン（ランドセル）への携帯電話機装着実施例を示す前面図、図７の洋服（ジャケット）への携帯電話機装着実施例を示す前面図、図８の自動車への携帯電話機装着を示す実施例上面図を用いて本発明を装着する実施例について説明する。
【００７６】
図６のカバン（ランドセル）への携帯電話機装着実施例を示す前面図は小学生のランドセルに本発明の携帯電話機１を装着する実施例であり、ランドセルの肩紐箇所に携帯電話機１用のホルダや収納ポケット等に本発明の携帯電話機１を収納しカメラレンズを前方方向に露出するとともに前方方向の被写体を撮影する映像が不良にならないように前後左右傾きが無いように装着するようになっている。また、幼稚園児、小学生、中学生、高校生の場合は学校に着いたら教材やノート等を机の中に入れた後カバンを教室の収納ボックス等静止状態なる場所に片付けておけば、通学途中以外の余分な撮影は発生せず携帯電話機１のバッテリ１１の電力消費が発生しないとともに自動で動画モード及び動画映像と音声に関わる電気回路の起動の電源を切断していることからバッテリ１１を長持ちさせることが可能である。
【００７７】
図７の洋服（ジャケット）への携帯電話機装着実施例を示す前面図は一般人ユーザや警察の警察官や刑事等に本発明の携帯電話機１を装着する実施例であり、一般人ユーザや警察官が身に着けるジャケットに携帯電話機１用のホルダや収納ポケット等に本発明の携帯電話機１を収納しカメラレンズを前方方向に露出するとともに前方方向の被写体を撮影する映像が不良にならないように前後左右傾きが無いように装着するようになっている。
【００７８】
図８の自動車への携帯電話機装着を示す実施例上面図は自動車に本発明の携帯電話機１を装着する実施例であり、図７の洋服（ジャケット）を着ている運転者に装着している状態でも良いが体格的にハンドルやダッシュボード等が撮影の邪魔になって確実な前方の動画映像が撮れない場合やＧＰＳの位置情報データの信号が受信できない場合は、自動車のダッシュボードの上に本発明の携帯電話機１を装着する実施例である。
【００７９】
ダッシュボード上に本発明の携帯電話機１を前記携帯電話機１用のホルダーやアタッチメント等で携帯電話機１を固定しカメラレンズを前方方向に露出するとともにフロントガラス前方方向の被写体を撮影する映像が不良にならないように前後左右の傾きが無いように装着するようになっている。この他の自動車への取付実施例としてピラー、サンバイザー、フロントガラス、室内ミラー、天井等にもホルダーやアタッチメントで装着可能である。また、長距離運転等になる場合は、自動車付属のＤＣアダプターから電源を供給できるようにすることによって、長時間の利用も可能となっている。そして、動画映像と音声を記憶するフラッシュメモリ等の容量が不足する場合は記憶している古い動画映像と音声をオーバーライトする設定を記憶部１０にしておくことにより長距離運転等の長時間の利用は可能となっている。よって、本発明の携帯電話機１は人間から自動車等の乗り物すべてに対応できるようになっている。
【００８０】
次に図９の地球の重力に対して垂直に姿勢を保持できるものと保持できないものを示す前後傾斜における姿勢図と、図１０の地球の重力に対して垂直に姿勢を保持できるものと保持できないものを示す左右傾斜における姿勢図を説明する。これは選択スイッチ９の選択設定で人間が使用する仕様と自動車等の乗り物で使用する仕様での傾斜角度センサ部５で測位する傾斜角度の信号を制御部１２の判断に用いる所定の設定値に異なる設定を設けている発明を示す図である。
【００８１】
人間は傾斜があっても足や全体のバランスで上体の姿勢を地球（地平線）に対して自然に容易に垂直に保持するまたは保持しようとするようになっている。前記保持しなければ転げ落ちてしまう。例えば坂道や山登り等がある。それに対して自動車は地球（地平線）に対して姿勢を垂直に保持するものが無く、サスペンションが優れていても前記サスペンションは走る、曲がる、止まる、乗り心地に優れているものであり傾斜がある場合は地球（地平線）に対して垂直に姿勢保持することができない。そこで、自動車は傾斜に対して素直に追従する姿勢になることから自動車等の乗り物使用の仕様は傾斜角度の設定幅を人間が使用する仕様より広く設定するようになっており、選択スイッチ９の選択設定において、各々姿勢保持の特性に合わせたカメラアングルの傾斜角度の使用可能傾斜角度領域と使用不可能傾斜角度領域の記憶部１０の設定で公序良俗に反しない用い方ができるように適切な設定でカメラアングルの良否を制御部１２は判断するようになっている。
【００８２】
次に図１１の画像を用いた移動距離を算出する実施例図について説明する。本発明では、これは自動録画が開始されているときに機能するものである。自動車の走行中においてはＧＰＳ受信部２がトンネルやビル等の障害物で位置情報データの電波が受信できなくなることがあり、自動車等の乗り物使用の仕様は所定時間毎の算出した現在地の移動距離の値と前記現在地の移動距離の値に対応した記憶部１０に設定の所定の設定値を比較するようになっているので、ＧＰＳ受信部２において受信不良が発生した場合はＧＰＳ受信部２を用いた処理に代えて画像を用いた処理で自動車の現在地の移動距離の値を算出するようになっている。本発明の画像を用いた移動距離の算出は自動録画すなわち記憶部１０の記憶の開始になった場合に機能するようにしているが自動録画になっていなくても撮影映像が取得可能になっていれば画像を用いた移動距離の算出は可能である。
【００８３】
はじめに自動車走行中の携帯電話機１のカメラレンズを通して（ａ）映し出される画面の撮影映像がある。映像には道路、道路標識、道路標示、木等が写っている場合を用いて以下に詳しく説明する。
【００８４】
画像の（ｂ）画面のＸ軸とＹ軸の座標値を示す実施例は、画面上の画面全体に縦横等間隔のＸ軸とＹ軸の座標値をＸ軸はＸ０〜Ｘ１２、Ｙ軸はＹ０〜Ｙ１０となっている。実施例では説明の為Ｘ軸、Ｙ軸の座標値の点数は少ないが実際は測位及び算出精度を上げるために座標値の点数は細分化され多く作製するようになっている。また、この映し出される画面全体にＸ軸とＹ軸の座標値が格子状に重畳するようになっている。そして、前記Ｘ軸とＹ軸の座標値を用いて所定時間毎の自動車の移動距離の値を算出するようになっている。
【００８５】
画像の（ｃ）画面のエリア分割と選別を示す実施例図は、画面上の画面をこの場合は１２分割しエリアＡ〜エリアＬまで分割している。制御部１２は自動で画面の映像から動的物体と静的物体の区別の判断の処理を実施し、前記静的物体には後で説明している（ｄ）図説明のマーク画像を付与して前記静的物体に付与したマークの座標上の軌跡を監視して前記座標の軌跡が正常にエリア内を通過することの区別を映像の中で本人自動車のボンネットやピラー等の障害となる影響の有無の判断により良否エリアを選別するようになっている。そして、前記マークの座標を監視した結果、画像の（ｃ）では制御部１２の判断で自動車のボンネットが画面に入っていることを判断し、エリアＡ〜エリアＨまでの画面の映像の動的物体と静的物体の区別の処理と前記静的物体にマークを付与し所定時間毎の画面上の移動距離の値を算出する処理を実施することの良好な使用可能エリアと判断している。また、制御部１２はエリアＩ〜エリアＬまでの動的物体と静的物体の区別の処理と前記マークを付与しても所定時間毎に算出する間に画面から前記マークが消えている可能性があると判断して、制御部１２のＣＰＵの処理にかかる負荷を軽減し消費電力を抑えることも可能であることから、エリアＩ〜エリアＬまでの所定時間毎の画面上の移動距離の値を算出する処理を実施することの不良な使用不可能エリアと判断しマークの付与等の処理をしないようにしている。または、制御部１２において前記使用不可能エリアにあたるＣＣＤ素子の否処理または否映像処理と撮影映像の動画映像の記憶部１０の否記憶処理をするようになっている。物体の動的物体と静的物体の区別は物体の形状、輪郭、絵、色、模様等の静的物体固有の特徴（道路標識、道路標示、電信柱、ガードレール、路肩、防音壁、道路外壁、バス停等の建物、看板、植物等）等を予め制御プログラムのデータにＲＯＭ、ＲＡＭ等の記憶部１０に設定しておくことにより、映し出された物体の自動判断を実施できるようになっている。実施例ではエリア分割は１２分割と少ないが実際は障害となる影響の有無の判断の箇所の精度を上げるためにエリア分割は多く作製するようになっており１２分割に限定されるものではない。
【００８６】
また、制御部１２は画像の（ｄ）静的物体のマーク画像付与を示す実施例図は静的物体の道路標識と道路標示にマーク１、マーク２、マーク３と自動でＸ軸とＹ軸の点上でかつ前記静的物体の物体固有の特徴ある予め決められた箇所にマーク（○なかに×）を付けるようになっている。そして、このマークの×中心のＸ軸とＹ軸の座標値を所定時間毎に測位し画面上の移動距離の値を算出するようになっている。
【００８７】
画像の（ｅ）移動距離の算出を示す実施例図は所定時間毎の例えば１秒後の（ｄ）画像の変化を示したものである。画面の映像は自動車が走行している間は常に変化するのでマーク１、マーク２、マーク３の座標値も走行中は常に変化する。（ｄ）の図ではマーク１の座標値は（Ｘ３，Ｙ８）であり、マーク３の座標値は（Ｘ７，Ｙ７）であったが、１秒後はマーク１（Ｘ１，Ｙ６）に変化し、マーク３の座標値は（Ｘ８，Ｙ５）に変化し移動している。この移動分の画面上の移動距離の長さ（値）を座標上で直角三角形になることから三平方の定理を用いて、ａ２＋ｂ２＝ｃ２からマーク１の移動距離の長さ（値）＝２√２、マーク３の移動距離の長さ（値）＝√５となり、画面上の座標値から移動距離の長さ（値）を算出できるようになっている。
【００８８】
この映し出されている画面上の映像の画面を用いての自動車の移動距離の長さ（値）を算出できるようにした設定値等の記憶部１０の設定の処理が実施完了済みである場合は、画面上の静的物体に付与したマークのＸ軸とＹ軸の各座標値における算出毎の画面上の移動距離の長さ（値）から自動車の移動距離の長さ（値）を算出するようになっている。また、マークの付与が複数になる場合は算出された複数の自動車の移動距離の長さ（値）を平均化して算出するようになっている。
【００８９】
また、画面を用いての自動車の移動距離の長さ（値）を算出できるようにする設定値等の記憶部１０の設定の処理が実施されていない場合は、制御部１２の判断で画面上の全エリアのＸ軸とＹ軸の各座標値の比の補正データを求めるようになっており、画面上に映っている静的物体にマークを付与した前記画面上の座標値を用いた算出毎の画面上の移動距離の長さ（値）とＧＰＳ受信部２で受信した位置データの座標値を用いた算出毎の自動車の移動距離の長さ（値）を比較して、前記ＧＰＳ受信部２の位置情報データより算出毎の移動距離の長さ（値）に対する前記画面上の各座標値より算出毎の画面上の移動距離の長さ（値）の比の補正データを求め、前記求めた比の補正データの設定値を記憶部１０に設定するようになっている。そして、前記記憶部１０の設定の処理が実施完了済みになったら、いつでもＧＰＳに代えて自動車の移動距離の長さ（値）を画面上の映像を用いて算出できるようになっている。
【００９０】
また、制御部１２において、選択スイッチ９の設定の変更や再度携帯電話機１を自動車に装着して使用する場合は記憶部１０に自動車の移動距離の長さ（値）算出に要する画面上の各座標値の比の補正データの設定値が記憶されていた場合は前記記憶している設定を優先的に用いるようになっている。そして、ＧＰＳ受信部２で位置情報データの電波を受信したならば前記設定値に誤差が無いかの点検の処理を比の補正データを求め記憶部１０の前設定と比較する処理を実施し取付位置、撮影方向等が変更になっていた場合はカメラレンズを通しての画面上に映し出される映像の静的物体に付与したマークが画面上を移動する軌跡の方向、角度等がカメラアングルによって異なるので制御部１２の判断において自動で上記説明の比の補正データを求め設定値を記憶部１０に新しい設定をする処理を実施するようになっている。
【００９１】
また、画像で算出した画面上の移動距離の長さ（値）に合わせて自動でマーク付与とエリアを選択するようになっている。例えば移動距離が長い（移動速度が速い）場合はエリアＡ〜エリアＤにマークを優先的に付与し、移動距離が長くない（移動速度が遅い）場合はエリアＥからエリアＨにマーク優先的に付与して状況に合わせるようになっている。画像の座標値を測位するためのマークは静的物体で認識できるもの例えば、道路標識、道路標示、電信柱、看板、ガードレール、路肩、防音壁、道路外壁、バス停等の建物、看板、植物、壁の模様等の物体固有の特徴をデータ化し記憶部１０に設定していることにより適切に制御部１２は画面上の動的物体と静的物体を判断できるようになっている。これら各々の静的物体を常に複数個のマークを付与し画像で画面上の移動距離の長さ（値）を算出できるようにすることによって、ＧＰＳ受信部２の受信状態が不良になっても画像処理で自動車の移動距離の長さ（値）を算出することができる。
【００９２】
次に図１２の節電型自動録画機能付携帯電話機に関わる構成ブロック図、図１３の選択スイッチとＧＰＳ受信状態による各種設定変更の制御のフローチャート図、図１４の地球の重力に対して垂直に姿勢が保持できる方を選択した場合の制御のフローチャート図、図１５の地球の重力に対して垂直に姿勢が保持できない方を選択した場合の制御のフローチャート図、図１６の遠隔操作の制御のフローチャート図、図１７の画像を用いた移動距離を算出する制御のフローチャート図、図１８の告知送信の制御のフローチャート図、図１９の告知受信の制御のフローチャート図、について説明する。
【００９３】
はじめに図１２の節電型自動録画機能付携帯電話機に関わる構成ブロック図について説明する。本発明の携帯電話機１は通常の通信を用いて会話することやインターネットを用いてＷＥＢやメール等できる機能、カメラレンズを通して写真や動画映像を撮る機能を具備している通常の手持ちと手操作により使用可能としている携帯電話機１でもあり、携帯電話機１の筐体内には衛星からの位置情報データをＧＰＳのアンテナから受信するＧＰＳ受信部２と、現在地で向いている方位の方向移動を検知する地球磁気センサ部３と、カメラレンズを通して被写体の撮影映像を取得するＣＣＤ素子等の撮影映像受像部４と、被写体を撮るカメラレンズの前後左右のカメラアングルの傾きを検知する傾斜角度センサ部５と、各種表示や映像等を表示する表示装置（モニタ）６と、警報音や音声ガイド、告知音、遠隔操作着信音等を電子音で出力する表示装置（スピーカ）７と、電話番号や各種設定を操作することができる操作部８と、スイッチ操作部は筐体外側に露出し各種設定を自動で切替える選択スイッチ９と、制御プログラム（ソフトウェア）、各種設定等を記憶処理するＲＯＭ、ＲＡＭ等と映像、音声を記憶処理する外部記憶媒体のＲＡＭ系のフラッシュメモリ等の記憶部１０と、位置測位、位置算出、方位測位、方位算出、座標測位、座標算出、比の算出、移動距離算出、映像の処理、合成画像処理、音声の処理、判断、信号の入出力、演算処理するＣＰＵ等の制御部１２と、これらに電源を供給するバッテリ１１とを構成し本発明の自動制御を処理するようになっている。
【００９４】
そして、本発明は動画モード及び動画映像と音声に関わる電気回路の電源の起動のＯＮ／ＯＦＦの制御と、動画映像と音声の記憶の開始と停止の制御を手持ちと手操作を必要としないで自動で実施することを記憶部１０に記憶している制御プログラム（ソフトウェア）によって、ＧＰＳ受信部２で受信した現在地の位置情報データの信号と地球磁気センサ部３の方位データの信号と傾斜角度センサ部５の前後左右の傾斜角度のデータの信号を制御部１２で処理し、移動の有無、使用状況の良否を判断するようになっている。この前記制御部１２の判断に基づいて、装着している人間または自動車等の乗り物の移動の動的状態と静的状態と装着状態の判断結果より、制御部１２からの制御された電気信号で自動制御を実施することによって、携帯電話機１の手持ち不要と、動画モード及び電源の起動スイッチＯＮ／ＯＦＦと、動画映像の記憶開始と停止スイッチの手操作が不要になり、移動していない静止状態の場合は制御部１２の判断で自動録画は機能しないことから自動でバッテリ１１を節約できるようになっている。そして、選択スイッチ９の人間が使用する仕様、自動車等の乗り物に使用する仕様で、個人的使用手段、社会的使用手段、防犯的使用手段等と使用目的に合わせた利用を可能としている。以下にこれら制御について詳しく説明する。
【００９５】
図１３の選択スイッチとＧＰＳ受信状態による各種設定変更の制御のフローチャート図について説明する。これは、携帯電話機１の筐体の外側に具備されている選択スイッチ９の選択位置により切替わる各種設定と、ＧＰＳ受信部２のＧＰＳ信号受信状態が良好または不良になった場合の自動車の移動距離算出の設定変更を示す制御のフローチャート図である。
【００９６】
携帯電話機１の選択スイッチ９は通常の動画モードで使用する手持ちと手操作が必要となる自動録画機能ＯＦＦと、本発明の人間が使用する仕様の動画モードと、本発明の自動車等の乗り物で使用する仕様の動画モードの設定をすることができる。
【００９７】
携帯電話機１の主電源がＯＮに（Ｓ１０１）なったならば、選択スイッチ９の選択位置を検知するようになっている。主電源がＯＮならばいつでも前記選択スイッチ９の位置判断は可能となっている。前記選択スイッチ９の設定位置が自動録画機能ＯＦＦ（Ｓ１０２）だったならば、本発明で使用する設定をクリア（Ｓ１１２）して終了するようになっている。そして、前記自動録画機能ＯＦＦの場合は撮影者が通常の手持ちと手操作で撮影できることが可能となっている。また、前記自動録画機能ＯＦＦの場合は消費電力の節約ができるようにＧＰＳ受信部２と地球磁気センサ部３と傾斜角度センサ部５の電源と制御プログラムの処理は制御部１２の判断で切断されるようになっている。
【００９８】
選択スイッチ９の設定位置が人間使用の仕様を選択した場合（Ｓ１０３）は、自動で動画モードが設定され人間使用の仕様の地球磁気センサ部３とＧＰＳ受信部２と傾斜角度センサ部５の設定が記憶部１０に実施され、前記地球磁気センサ部３とＧＰＳ受信部２と傾斜角度センサ部５の測位データの信号から方位移動の有無、座標移動の有無、カメラアングルの良否を制御部１２で判断する設定値が初期設定として記憶部１０に設定（Ｓ１０６）するようになっている。
【００９９】
選択スイッチ９の設定位置が自動車等の乗り物使用の仕様を選択した場合（Ｓ１０４）は、自動車等乗り物使用の仕様の地球磁気センサ部３とＧＰＳ受信部２と傾斜角度センサ部５の設定が記憶部１０に実施され、前記地球磁気センサ部３とＧＰＳ受信部２と傾斜角度センサ部５の測位データの信号から方位移動の有無、座標移動の有無、カメラアングルの良否を制御部１２で判断する設定値が初期設定として記憶部１０に設定する（Ｓ１０５）ようになっている。
【０１００】
そして、選択スイッチ９の設定位置が人間使用の仕様または自動車等の乗り物使用の仕様の設定において、自動で動画映像と音声に関わる電気回路の電源を供給し自動で動画映像と音声の撮影を記憶している状態であるか？（Ｓ１０７）を制御部１２で判断するようになっている。
【０１０１】
そして、撮影状態の場合は常時ＧＰＳ受信部２の位置情報データの信号の受信感度が良好か？（Ｓ１０８）を制御部１２は判断するようになっている。受信感度が良好だった場合は、各々の仕様において、初期設定で設定されている移動距離の値に対応した所定の設定値とＧＰＳ受信部２で受信している所定時間毎（例えば１秒毎）の位置情報データから算出した（Ｓ１０９）自動車の移動距離の値の算出値と制御部１２は比較するようになっている。
【０１０２】
また、ＧＰＳの位置情報データの電波がトンネル内、ビル内等の障害物で位置情報データが受信できない状態になりＧＰＳの受信感度は不良である（Ｓ１０８）と制御部１２が判断された場合は、ＧＰＳの機能から自動で記憶部１０の設定によって切替わり、現在撮影中の映像の所定時間毎（例えば１秒毎）の自動車の移動距離の値を制御部１２は算出するようになっている（Ｓ１１０）。そして、制御部１２はこの算出した自動車の移動距離の値を用いて初期設定で設定されている移動距離の値に対応した所定の設定値と比較するようになっている。例えば映像は、画面上の所定時間毎の動的物体と静的物体を認識して映像として撮っている前記静的物体に目印となるマーク画像を制御部１２は付与して前記マーク画像の測位点の１秒毎の画面上の座標値から自動車の移動距離の値を制御部１２は算出するようになっている。そして、この状態はＧＰＳ受信部２の受信状態が良好になったならば、制御部１２は自動でＧＰＳ受信部２の位置情報データを用いる設定に切替わり初期設定で設定されている移動距離の値に対応した所定の設定値とＧＰＳ受信部２で受信している所定時間毎の位置情報データから算出した自動車の移動距離の値の算出値と比較するようになっている。
【０１０３】
そして、選択スイッチ９の設定位置の変更がない場合（Ｓ１１１）は人間使用の仕様または自動車等の乗り物使用の仕様の設定でＧＰＳ受信部２の電波の受信状態の良好か？（Ｓ１０８）にリターンして制御の処理を制御部１２は繰り返すようになっている。また、前記選択スイッチ９の設定位置の変更をした場合（Ｓ１１１）は記憶部１０の設定をクリア（Ｓ１１２）して終了し、前記選択スイッチ９の設定位置の制御部１２の判断に対応するようになっている。
【０１０４】
次に図１４の地球の重力に対して垂直に姿勢が保持できる方を選択した場合の制御のフローチャート図について説明する。これは選択スイッチ９の地球の重力に対して垂直に姿勢を保持することができる人間使用の仕様を選択設定した場合である。
【０１０５】
予め洋服やカバン等にカメラレンズが露出して前方方向の動画映像と音声が撮れるように装着している状態で携帯電話機１の主電源のＯＮまたはＯＦＦ（Ｓ２０１）を制御部１２は判断し、主電源が入っているＯＮである場合は本発明の自動制御が実施されるようになり、制御部１２の出力信号によって地球磁気センサ部３の機能に電源を供給されることにより処理が開始（Ｓ２０２）し携帯電話機１の向いている方位値の測位が開始されるようになっている。また、前記地球磁気センサ部３の電源の供給と並行して制御部１２の出力信号によってＧＰＳ受信部２の機能に電源を供給されることにより処理が開始（Ｓ２０４）し携帯電話機１の座標値の測位が開始されるようになっている。
【０１０６】
そして、地球磁気センサ部３から出力される方位データの信号を所定時間毎に例えば１秒間隔の測位毎に前記方位データ信号を制御部１２で比較し方向移動の有無を制御部１２は判断（Ｓ２０３）するようになっている。また、ＧＰＳ受信部２から出力される位置情報データの信号を所定時間毎に例えば１秒間隔の測位毎に前記位置情報データの信号を制御部１２で比較し方向移動の有無を制御部１２は判断（Ｓ２０５）するようになっている。
【０１０７】
そして、方位のデータの信号に変化があった場合（Ｓ２０３）または、位置情報データの信号に変化があった場合（Ｓ２０５）に、制御部１２が移動有りと判断されたならば前記制御部１２の入出力回路より電気信号を出力し動画映像と音声に関わる電気回路の、カメラレンズによりズームに関わる駆動回路、前記カメラレンズを通して映像の被写体を撮影するＣＣＤ素子等の撮影映像素子回路、前記撮影映像素子回路で撮影した被写体の映像や電子的処理によりズームに関わる回路等の映像処理回路、前記映像処理回路で処理された映像を記憶する記憶回路、ファインダーが装備されていた場合のズームに関わる駆動回路、被写体との距離を自動測定しピントを自動で合わせるオートフォーカス回路、音声をマイクから検出して音声処理する表示装置の音声処理回路等の電気回路に記憶部１０の制御プログラムにより、制御部１２からの出力信号によって、自動で各電気回路に電源が供給され動画モードは起動ＯＮとなり撮影の自動録画の処理が自動で実施される（Ｓ２０６）ようになっている。また、傾斜角度センサ部５に関連する電気回路も前記制御部１２の電気信号の出力信号によって自動で電源が供給され制御は起動ＯＮとなりカメラアングルの良否判断の処理が自動で実施される（Ｓ２０６）ようになっている。
【０１０８】
また、表示装置（モニタ）６の映像を見るための液晶ディスプレイ等の表示装置回路は制御部１２の判断により自動で電源を起動しない（Ｓ２０７）で電源ＯＦＦするようになっている。これで、選択スイッチ９で人間使用の仕様の選択位置で消費電力を節約するようになっている。
【０１０９】
また、制御部１２の判断により自動で動画映像と音声に関わる電気回路に電源が供給され各々の処理が実施されると動画映像と音声の記憶開始を制御部１２の出力信号によって自動で撮影が始まる（Ｓ２０８）ようになっているが、このときに動画映像と音声のデータをフラッシュメモリ等の記憶媒体の記憶部１０に保存する前に携帯電話機１のカメラアングルを傾斜角度センサ部５の前後左右傾きのデータの信号から制御部１２は前記カメラアングルが良好または不良を判断（Ｓ２０９）するようになっている。
【０１１０】
そして、制御部１２の判断において、記憶部１０の設定値以上のカメラアングルで異常な使用不可能傾斜角度領域で不良であると判断された場合は自動で動画映像と音声の記憶停止（Ｓ２１０）されるようになっている。そして、フラッシュメモリ等の記憶媒体の記憶部１０には動画映像と音声のデータは保存されないようになっている。但し、カメラアングルの傾斜角度の良好状態で撮影の自動録画状態の場合はこの限りではない。（不良状態になる前までは保存する。）
【０１１１】
これは使用している携帯電話機１の撮影が傾いていると後で映像を確認した場合に誤認識、撮影不良、消費電力の浪費、フラッシュメモリの記憶容量の無駄等を防止するようになっている。また、この他、盗撮等の悪意ある使用ができないようにしている。
【０１１２】
この制御部１２の傾斜角度の良否の判断による制御は予めカメラアングルの前後左右の使用可能傾斜角度領域と使用不可能傾斜角度領域を地球の重力に対して垂直に姿勢が保持できるもとの保持できないものの設定値を記憶部１０に設定するようになっており、前記保持できるもので設定された前記使用可能傾斜角度領域の設定値より傾斜角度センサ部５で測位した傾きのデータの信号の測位値が比較して設定値以上で不良であると判断された場合は自動で動画映像と音声の記憶停止をするようになっている。
【０１１３】
また、制御部１２の判断において、動画映像と音声の記憶停止（Ｓ２１０）されたならば装着している使用者に表示装置（スピーカ）７から自動で電子音の警報音や警報音声ガイド等を自動で出力（Ｓ２１１）するようになっている。警報音や警報音声ガイドは記憶部１０に設定されている時間中は鳴り続けるようになっている。
【０１１４】
例えば記憶部１０に設定されている時間が３０秒だった場合は３０秒間鳴り続けるようになっている。前記３０秒間の間に携帯電話機１の装着位置が最適に補正されないでカメラアングルの傾斜角度が不良（Ｓ２１２）だった場合は自動で警報音や警報音声ガイドの出力を制御部１２の判断で停止しするようになっている。そして、同時に制御部１２は自動で動画映像と音声に関わる電気回路の電源供給を動画モードの起動ＯＦＦして電源を切断し終了するようになっている。また、前記３０秒間の間にカメラアングルの傾斜角度が良好に補正された場合はカメラの傾斜状態は良好か？（Ｓ２１２）の制御部１２の判断で良好と判断され（Ｓ２０９）にリターンするようになっている。
【０１１５】
カメラの傾斜状態は良好か？（Ｓ２０９）の制御部１２の良否判断でカメラアングルが使用可能傾斜角度領域内で良好と判断されたならば動画映像と音声のデータを記憶部１０のフラッシュメモリ等の記憶媒体に記憶を開始し保存するようになっている。
【０１１６】
撮影が継続中は、携帯電話機１を装着している人間の移動の有無を制御部１２は判断するためにＧＰＳ受信部２と地球磁気センサ３から出力される測位データの信号に変化が無しか？（Ｓ２１３）を判断するようになっている。移動に伴う座標と方位の変化が無いと判断された場合は予め設定されている所定時間以上の静止状態を保持したか？（Ｓ２１４）を制御部１２は判断するようになっている。前記所定時間以上の設定は偶発的な静止によって大量のファイルを記憶部１０に記憶作成しないようにするとともに撮影後の映像の確認または編集作業を容易にするために設けられているものである。
【０１１７】
例えば静止状態の制御部１２の判断として３０秒以上の静止で静止状態であると判断する設定時間を記憶部１０に設定していた場合は、３０秒以上のＧＰＳ受信部２と地球磁気センサ３から出力される測位データの信号の座標と方位に変化がともに無くなった場合は制御部１２の判断によって自動で動画映像と音声の記憶を停止（Ｓ２１５）し、自動で記憶部１０のフラッシュメモリ等の記憶媒体の動画映像と音声の記憶データ作成の処理も停止しファイル名または撮影番号を付け保存して閉じるようになっている。そして、制御部１２の判断により自動で動画映像と音声に関わる電気回路の電源供給を動画モードの起動ＯＦＦして電源を切断するようになっている（Ｓ２１６）。そして、制御部１２の判断によって傾斜角度センサ部５に関連する電気回路の電源も自動で切断し制御に要する処理も終了するようになっている。
【０１１８】
また、予め携帯電話機１の記憶部１０の設定において、動画映像と音声のファイルが保存された場合は、予め設定しておいたメールアドレス、電話番号等に動画映像と音声を送信するようにしておいた場合は動画映像と音声が入ったファイル名または撮影番号で選択可能または自動再生となっている動画映像と音声を自動でファイル保存毎に送信することができるようになっている（Ｓ２１７）。設定していない場合は送信されないようになっている。
【０１１９】
次に図１５の地球の重力に対して垂直に姿勢が保持できない方を選択した場合の制御のフローチャート図について説明する。これは選択スイッチ９の地球の重力に対して垂直に姿勢を保持できない移動手段の自動車、トラック、バス、自動二輪、自転車、船舶、電車、等の乗り物使用の仕様を選択した場合である。
【０１２０】
自動車を例として予めダッシュボード上やフロントガラス等にカメラレンズが露出して動画映像と音声が撮れるようにホルダーやアタッチメント等に装着している状態で携帯電話機１そのものの主電源のＯＮまたはＯＦＦ（Ｓ３０１）を制御部１２は判断し、主電源が入っているＯＮである場合は本発明の自動制御が実施されるようになり、制御部１２の出力信号によって地球磁気センサ部３の機能に電源を供給されることにより処理が開始（Ｓ３０２）し携帯電話機１の向いている方位値の測位が開始されるようになっている。また、前記地球磁気センサ部３の電源の供給と並行して制御部１２の出力信号によってＧＰＳ受信部２の機能に電源を供給されることにより処理が開始（Ｓ３０４）し携帯電話機１の座標値の測位が開始されるようになっている。
【０１２１】
そして、地球磁気センサ部３から出力される方位データの信号を所定時間毎に例えば１秒間隔の測位毎に前記方位データの信号を制御部１２で比較し方向移動の有無を制御部１２は判断（Ｓ３０３）するようになっている。また、ＧＰＳ受信部２から出力される位置情報データの信号を所定時間毎に例えば１秒間隔の測位毎に前記位置情報データの信号を制御部１２で比較し位置移動の有無を制御部１２は判断（Ｓ３０５）するようになっている。
【０１２２】
そして、方位のデータの信号に変化があった場合（Ｓ３０３）または、位置情報データの信号に変化があった場合（Ｓ３０５）に、制御部１２が移動有りと判断されたならば前記制御部１２の入出力回路より電気信号を出力し動画映像と音声に関わる電気回路の、カメラレンズによりズームに関わる駆動回路、前記カメラレンズを通して映像の被写体を撮影するＣＣＤ素子等の撮影映像素子回路、前記撮影映像素子回路で撮影した被写体の映像や電子的処理によりズームに関わる回路等の映像処理回路、前記映像処理回路で処理された映像を記憶する記憶回路、ファインダーが装備されていた場合のズームに関わる駆動回路、被写体との距離を自動測定しピントを自動で合わせるオートフォーカス回路、音声をマイクから検出して音声処理する表示装置の音声処理回路等の電気回路に記憶部１０の制御プログラムにより、制御部１２からの出力信号によって、自動で各電気回路に電源が供給され動画モードは起動ＯＮとなり撮影の自動録画の処理が自動で実施される（Ｓ３０６）ようになっている。また、傾斜角度センサ部５に関連する電気回路も前記制御部１２の電気信号の出力信号によって自動で電源が供給され制御は起動ＯＮとなりカメラアングルの良否判断の処理が自動で実施される（Ｓ３０６）ようになっている。
【０１２３】
また、表示装置（モニタ）６の映像を見るための液晶ディスプレイ等の表示装置回路は制御部１２の判断によって自動で電源を起動しない（Ｓ３０７）で電源ＯＦＦするようになっている。これで、選択スイッチ９で自動車等の乗り物使用の仕様の選択位置で消費電力を節約するようになっている。
【０１２４】
また、自動で動画映像と音声に関わる電気回路に電源が供給され各々の処理が実施されると動画映像と音声の記憶開始を制御部１２の出力信号によって自動で撮影が始まる（Ｓ３０８）ようになっているが、このときに動画映像と音声のデータをフラッシュメモリ等の記憶媒体の記憶部１０に保存する前に携帯電話機１のカメラアングルを傾斜角度センサ部５の前後左右傾きのデータの信号から制御部１２は前記カメラアングルが良好または不良を制御部１２は判断（Ｓ３０９）するようになっている。
【０１２５】
そして、制御部１２の判断において、記憶部１０の設定値以上のカメラアングルで異常な使用不可能傾斜角度領域で不良であると判断された場合は自動で動画映像と音声の記憶停止（Ｓ３１１）されるようになっている。そして、フラッシュメモリ等の記憶媒体の記憶部１０には動画映像と音声のデータは保存されないようになっている。但し、カメラアングルの傾斜角度の良好状態で撮影の自動録画状態の場合はこの限りではない。（不良状態になる前までは保存する。）
【０１２６】
これは使用している携帯電話機１の撮影が傾いていると後で映像を確認した場合に誤認識、撮影不良、消費電力の浪費、フラッシュメモリの記憶容量の無駄等を防止するようになっている。また、この他、盗撮等の悪意ある使用ができないようにしている。
【０１２７】
この制御部１２の傾斜角度の良否の判断による制御は予めカメラアングルの前後左右の使用可能傾斜角度領域と使用不可能傾斜角度領域を地球の重力に対して垂直に姿勢が保持できるもとの保持できないものの設定値を記憶部１０に設定するようになっており、前記保持できないもので設定された前記使用可能傾斜角度領域の設定値より傾斜角度センサ部５で測位した傾きのデータの信号の測位値が比較して設定値以上で不良であると判断された場合は自動で動画映像と音声の記憶停止をするようになっている。
【０１２８】
また、制御部１２はカメラアングルの傾斜角度が良好だったとしても、自動車等の乗り物は人間より遥かに速く移動することができ運転中の移動中（走行中）に事故が発生することが多いので、制御部１２は使用条件としてさらに所定時間毎に算出した自動車の移動距離の値の算出値が比較の為の記憶部１０に設定されている所定の設定値より比較して大きくなっていなければならないようになっている。
【０１２９】
例えば制御部１２の移動距離の有無の判断の所定の設定値が２．８ｍ／ｓ（時速１０ｋｍ）になっていた場合、２．８ｍ／ｓ（時速１０ｋｍ）以上の速度が無い場合は不良と判断され自動で動画映像と音声の記憶は停止（Ｓ３１１）されるようになっている。そして、フラッシュメモリ等の記憶媒体には動画映像と音声の記憶及びファイル等は保存されないようになっている。但し、カメラアングルの傾斜角度の良好状態で撮影の自動録画状態の場合はこの限りではない。（不良状態になる前までは保存する。）また、所定の設定値は人間が使用不可能な記憶部１０の設定をするようになっており、４．２ｍ／ｓ（時速１５ｋｍ）、５．６ｍ／ｓ（時速２０ｋｍ）、８．３ｍ／ｓ（時速３０ｋｍ）等の設定値で設定するようになっている。
【０１３０】
また、重力に対して垂直に姿勢が保持できない方を選択した場合に所定時間毎の自動車の移動距離の値は良好か？（Ｓ３１０）の制御部１２の判断が条件としてあるのは、傾斜角度の設定の使用可能傾斜角度領域の設定幅が広くなっていることを良いことに悪意ある人間によって盗撮等の目的で使用できないようになっている。
【０１３１】
また、制御部１２の判断において、動画映像と音声の記憶停止（Ｓ３１１）されたならば使用者に表示装置（スピーカ）７から自動で電子音の警報音や警報音声ガイド等を出力（Ｓ３１２）するようになっている。警報音や警報音声ガイドは記憶部１０に設定されている時間中は鳴り続けるようになっている。
【０１３２】
例えば記憶部１０に設定されている時間が６０秒だった場合は６０秒間鳴り続けるようになっている。前記６０秒間の間に携帯電話機１の装着位置が補正されないでカメラアングルの傾斜角度が不良（Ｓ３１３）だった場合は自動で警報音や警報音声ガイドの出力を制御部１２の判断で停止するようになっている。そして、同時に制御部１２は自動で動画映像と音声に関わる電気回路の電源供給を動画モードの起動ＯＦＦして電源を切断し終了するようになっている。また、前記６０秒間の間にカメラアングルの傾斜角度が良好に補正された場合はカメラの傾斜状態は良好か？（Ｓ３１３）の判断で良好と制御部１２で判断され（Ｓ３０９）にリターンするようになっている。
【０１３３】
カメラの傾斜状態は良好か？（Ｓ３０９）の制御部１２の良否判断でカメラアングルが使用可能傾斜角度領域内で良好であり、自動車の移動距離の値も良好である（Ｓ３１０）と判断されたならば動画映像と音声のデータを記憶部１０のフラッシュメモリ等の記憶媒体に記憶を開始し保存するようになっている。
【０１３４】
撮影が継続中は、携帯電話機１をホルダー等の装着している自動車の動的移動の有無を制御部１２は判断するためにＧＰＳ受信部２と地球磁気センサ３から出力される測位データの信号に変化は無しか？（Ｓ３１４）を判断するようになっている。移動に伴う座標と方位の変化が無いと判断された場合は予め設定されている所定時間以上の静止状態を保持したか？（Ｓ３１５）を制御部１２は判断するようになっている。前記所定時間以上の設定は偶発的な静止によって大量のファイルを記憶部１０に記憶作成しないようにするとともに撮影後の映像の確認または編集作業を容易にするために設けられているものである。
【０１３５】
例えば静止状態の制御部１２の判断として５０秒以上の静止で静止状態であると判断する設定時間を記憶部１０に設定していた場合は、５０秒以上のＧＰＳ受信部２と地球磁気センサ３から出力される測位データの信号の座標と方位に変化がともに無くなった場合は制御部１２の判断によって動画映像と音声の記憶を停止（Ｓ３１６）し、自動で記憶部１０のフラッシュメモリ等の記憶媒体の動画映像と音声の記憶データ作成の処理も停止しファイル名または撮影番号を付け保存して閉じるようになっている。そして、制御部１２の判断により自動で動画映像と音声に関わる電気回路の電源供給を動画モードの起動ＯＦＦして電源を切断するようになっている（Ｓ３１７）。そして、制御部１２は傾斜角度センサ部５に関連する電気回路の電源も自動で切断し制御に要する処理も終了するようになっている。
【０１３６】
また、予め携帯電話機１の記憶部１０の設定において、動画映像と音声のファイルが保存された場合は、予め設定しておいたメールアドレス、電話番号等に動画映像と音声を送信するようにしておいた場合は動画映像と音声が入ったファイル名または撮影番号で選択可能または自動再生となっている動画映像と音声を自動でファイル保存毎に送信することができるようになっている（Ｓ３１８）。設定していない場合は送信されなようになっている。
【０１３７】
次に図１６の遠隔操作の制御のフローチャート図について説明する。自動録画機能に関連して携帯電話機１の遠隔操作ができるようになっている。これは主に防犯目的の使用手段であり、本発明の携帯電話機１の主電源がＯＮ（Ｓ４０１）であった場合にパソコンまたは別の携帯電話機の遠隔操作用の専用ソフトによって遠隔操作ができるようになっている。
【０１３８】
要求元のパソコンまたは別の携帯電話機から遠隔操作の専用ソフトによってインターネット網等の通信手段から遠隔操作の要求をするようになっており（Ｓ４０２）、前記専用ソフトから遠隔操作をしたい携帯電話番号と認証ＩＤとパスワードを送信するようになっている。遠隔操作される側の要求元の携帯電話機１は予め認証ＩＤとパスワードを記憶部１０に設定するようになっている。
【０１３９】
この携帯電話番号と認証ＩＤとパスワードが遠隔操作したい携帯電話機１にデータ送信される（Ｓ４０２）と前記携帯電話機１の記憶部１０の設定と照合され有効か無効かの判断が制御部１２で実施されるようになっている（Ｓ４０３）。前記制御部１２の判断で無効だった場合は通信を自動で切断して（Ｓ４１７）終了するようになっている。
【０１４０】
制御部１２の判断で有効だった場合の携帯電話機１は遠隔操作に入ったことを知らせる電子音の音声を表示装置（スピーカ）７から出力し、現在の遠隔操作したい携帯電話機１の現在の状態が自動録画をしている動作状態であるか？（Ｓ４０４）を要求先の携帯電話機１の制御部１２は判断するようになっており、現在自動録画の動作状態である場合は前記自動録画が動作中であることの情報を要求元のパソコンまたは携帯電話機に無線部よりデータ送信する（Ｓ４０５）ようになっている。また、現在否動作状態で静止状態の場合は動作していない待機中であることの情報を要求元のパソコンまたは携帯電話機に無線部よりデータ送信する（Ｓ４１１）ようになっている。
【０１４１】
現在動作状態であることを示す画像と音声を受信した要求元のパソコンまたは携帯電話機は専用ソフトの画面指示に従って、現在撮影中で記憶保存中の動画映像と音声のリアルタイム画像を視聴するか？の判断を要求元ができるようになっており、画面指示に従ってキーボードまたは専用ボタンまたは表示画面によるマウス操作からリアルタイム画像を視聴するまたは視聴しないを選択番号や選択名等から選択して要求できるようになっている。
【０１４２】
要求先はリアルタイム画像を視聴するように選択されたデータを受信した場合は（Ｓ４０６）、要求元のパソコンのモニタ画面または携帯電話機のモニタ画面から現在撮影中の生映像が視聴できるようにリアルタイム画像の動画映像と音声を携帯電話機１は要求元の指示に従って制御部１２は自動で無線部よりデータ送信（Ｓ４０７）するようになっている。
【０１４３】
また、次に遠隔操作している要求元よりリアルタイム画像を視聴中にパソコンのスピーカマイクまたは携帯電話機のスピーカマイクで通話をしたい要求の選択番号や選択名等から選択して携帯電話機１にデータ送信し前記携帯電話機１が受信した場合は（Ｓ４０８）、制御部１２の判断により本発明の携帯電話機１を装着している状態で自動で通話ができるようになり、要求元からの通話の受信があった場合は、このまま携帯電話機１の表示装置（スピーカ）７から通話が出力される（Ｓ４０９）ようになっている。また、要求元側に通話が不要になった場合は選択番号や選択名等から選択していつでもキャンセルして要求先にデータ送信したならば前記キャンセルのデータを受信した携帯電話機１の制御部１２の判断により自動で通話の通信を切断できるようになっている（Ｓ４１０）。
【０１４４】
また、遠隔操作をしている要求元より、リアルタイム画像の通信が切断されるまではリアルタイム画像が要求元のパソコンまたは携帯電話機の専用ソフトで視聴できるようになっている。そして、リアルタイム画像の通信の切断する要求を（Ｓ４１０）携帯電話機１の無線部が受信した場合は制御部１２は自動で通信を切断して（Ｓ４１７）終了するようになっている。
【０１４５】
リアルタイム画像が自動録画の待機中でも視聴できるようすることは可能であるが、移動中で無いことを正確に判断することができるので、消費電力を節約するために待機中においてリアルタイム画像は視聴できないようになっている
【０１４６】
次に要求元のパソコンまたは携帯電話機の専用ソフトに本発明の携帯電話機１から自動録画の否動作状態であることの無線部からのデータ送信（Ｓ４１１）の受信またはリアルタイム画像の選択（Ｓ４０６）でリアルタイム画像の視聴を要求しなかった場合は、遠隔操作をする要求元のパソコンまたは携帯電話機は本発明の携帯電話機１に動画映像と音声の記憶の検索を要求するか？の選択画面になり、検索を要求しなかった場合は制御部１２の判断で通信を切断して（Ｓ４１７）処理を終了するようになっている。
【０１４７】
要求元が検索を要求をしたデータを送信した場合は、本発明の携帯電話機１の制御部１２はこの検索要求のデータを無線部より受信したら（Ｓ４１２）、記憶部１０のフラッシュメモリ等の記憶媒体に記憶保存している動画映像と音声の選択番号、選択ファイル名等を検索し前記検索結果を要求元のパソコンまたは携帯電話機に前記選択番号、選択ファイル名等を選択できるように無線部より要求元にデータ送信するようになっている（Ｓ４１３）。
【０１４８】
そして、要求元は送信されてきた前記選択番号、選択ファイル名等は本発明の携帯電話機１のバッテリ１１の消費を節約するために予め決められた時間内に要求元のパソコンまたは携帯電話機から前記選択番号や選択ファイル名等を選択して要求先へ送信するようになっている。前記時間内に例えば３０秒以内に送信しなかった場合は通信を自動で切断して（Ｓ４１７）処理を終了するようになっている。
【０１４９】
要求元は選択番号、選択ファイル名等を選択して要求を示すデータを送信すると、無線部より受信した携帯電話機１の制御部１２は（Ｓ４１４）この選択されて送信されてきた前記選択番号、選択ファイル名等の動画映像と音声を要求元に自動で無線部よりデータ送信する（Ｓ４１５）ようになっている。そして、制御部１２はデータ送信が完了（Ｓ４１６）すると通信を自動で切断して（Ｓ４１７）処理を終了するようになっている。
【０１５０】
次に図１７の画像を用いた移動距離を算出する制御のフローチャート図について説明する。これは装着した自動車等の乗り物で撮影している映像から自動車の移動距離を算出するようにしたものであり、携帯電話機１そのものの主電源のＯＮまたはＯＦＦ（Ｓ５０１）を制御部１２は判断し、主電源が入っているＯＮである場合は本発明の自動制御が実施可能となり、選択スイッチ９の選択が地球の重力に対して垂直に姿勢を保持できないものすなわち自動車等の乗り物使用の仕様であるか？（Ｓ５０２）の判断をするようになっている。よって、選択スイッチ９の人間使用の仕様では処理しないようになっている。但し、図１５の地球の重力に対して垂直に姿勢が保持できない方を選択した場合の制御のフローチャート図と同等の制御のフローチャートにした場合は処理可能である。
【０１５１】
選択スイッチ９の設定位置は自動車等の使用の仕様であると制御部１２が判断されたならば、前回に画像を用いた自動車の移動距離の値の算出の機能を用いての前記自動車の移動距離の値の算出に用いた設定の保存データが記憶部１０にあるか？（Ｓ５０３）を制御部１２は判断するようになっている。また、前記記憶部１０に設定の保存データがあった場合は、ＧＰＳの位置情報の電波による自動車の移動距離の値と画面上の画像の静的物体のＸ軸とＹ軸の座標値による画面上の移動距離の値を比較して画像処理による自動車の移動距離の値の算出に用いる記憶部１０の設定及び点検が実施されるまでは前記保存データを仮設定する（Ｓ５０４）ようになっている。そして、前記仮設定で制御の処理を実施するようになっている。前記保存データが存在しない場合は、データ無しで画像処理を用いた自動車の移動距離の値の算出の仮設定を用いた処理は実施されないようになっている。
【０１５２】
次に、制御部１２の判断においてＧＰＳ受信部２の位置情報データの信号による位置移動の変化または地球磁気センサ部３の方位データの信号による方位移動の変化が有ると判断され自動録画による動画映像と音声の記憶が開始された（Ｓ５０５）場合は、動画映像が映し出される画面上の画面全体にＸ軸とＹ軸の座標値設定を縦横等間隔（例えば画面表示の０．１ｍｍ間隔またはドットピッチ間隔等）の格子状に重畳する記憶部１０の制御プログラムにより設定の画面処理を実施し（Ｓ５０６）、次に前記画面全体を縦横等間隔の複数個（例えば縦３×横４の１２分割）エリアに分割する画面設定の画面処理を実施する（Ｓ５０６）ようになっている。携帯電話機１装備の表示装置（モニタ）６はこれら画像処理を見ても意味が無いので肉眼では確認できないようになっている。
【０１５３】
次に、撮影している画像から予め静的物体の道路標識、道路標示、電信柱、ガードレール、路肩、防音壁、道路外壁、バス停等の建物、看板、植物等と、動的物体の自動車、自動二輪、自転車、電車、船舶、人間、犬等の動物、ワイパー等と、を区別するデータを記憶部１０の制御プログラムに設定されていることにより、制御部１２は静的物体に座標値を測位する目印となるマーク画像を前記静的物体の所定箇所の例えは静的物体の認識された個々の決められた輪郭、形状、文字、絵、模様、色、等の特徴ある箇所にマーク画像を付与する（Ｓ５０７）ようになっている。そして、前記マークを付与した静的物体の箇所を変えないで撮影している映像にマーク画像を合成した処理を実施するようになっている。
【０１５４】
また、携帯電話機１の自動車の装着箇所がダッシュボード、ピラー、フロントガラス等と変更になったり、ボンネット、ダッシュボード、ピラー、天井等の撮影映像の障害物となるものが存在した場合は、画像処理を用いての自動車の移動距離の値の算出には余分な処理を削除して多大に電力消費する制御部１２のＣＰＵの情報処理負荷の軽減によりバッテリ１１の電力消費を抑えるようになっている。自動録画機能が開始して画面のＸ軸とＹ軸の座標値設定と画面のエリア分割設定の機能設定が実施された（Ｓ５０６）ならば、制御部１２は画面全体をエリア分割したエリアの使用の可否を判断する（Ｓ５０８）ようになっている。そして、制御部１２は撮影している画像の各々エリアの中で常時ボンネット、ダッシュボード、ピラー、天井等の障害物が画像に入り静的物体に付与したマークの軌跡画像がエリア外側でないにも関わらす消えてしまう等の影響で自動車の移動距離の値の算出は自動車の移動速度によっては不可能であり不要であると判断することが可能な場合（Ｓ５０８）は、画面全体のエリア分割した各エリアを使用可能エリア設定と使用不可能エリア設定を自動で選別し実施する（Ｓ５０９）ようになっている。また、制御部１２の判断で前記使用不可能エリア設定されたエリアはマークの付与の画像処理または、前記使用不可能エリア設定が実施されたＣＣＤ素子の撮影映像受像部４の撮影映像の映像処理とフラッシュメモリ等の記憶媒体の記憶部１０の動画映像の記憶の処理を実施しないようになっており、携帯電話機１の制御部１２のＣＰＵの処理に要する負荷を軽減してバッテリ１１の電力消費を抑えることができるようになっている。
【０１５５】
次に、制御部１２は静的物体にＸ軸とＹ軸の座標値の目印となるマークを所定時間毎に（例えば１秒毎に）マークのＸ軸とＹ軸の座標値を測位し、直角三角形の形状になる場合は三平方の定理等で１秒後毎の前記マークの座標値の画面上の移動距離の値を算出する（Ｓ５１０）ようになっている。
【０１５６】
次に、この映し出されている映像の画面を用いての自動車の移動距離の値を算出できるようにした設定値等の記憶部１０の設定の処理が実施完了済みである場合は、画面上の静的物体に付与したマークのＸ軸とＹ軸の各座標値における算出毎の移動距離の長さから自動車の移動距離を算出するようになっている。また、仮設定の場合や画面を用いての自動車の移動距離を算出できるようにする設定等の記憶部１０の設定の処理が実施されていない場合は（Ｓ５１１）、制御部１２の判断で画面上の全エリアのＸ軸とＹ軸の各座標値の比の補正データの設定または点検をするようになっており、画面上に映っている静的物体にマークを付与した前記画面上の座標値の算出毎の移動距離の長さとＧＰＳ受信部２で受信した位置データの座標値の算出毎の移動距離の長さを比較して、前記ＧＰＳ受信部２の位置データより算出毎の移動距離の長さに対する前記画面上の各座標値より算出毎の画面上の移動距離の長さの比の補正データを求め、前記求めた比の補正データの設定値を記憶部１０に設定するようになっている（Ｓ５１２）。前記仮設定の点検の場合は比の補正データと比較して異なっていた場合は新しいく求めた比の補正データの設定値を記憶部１０に設定するようになっている（Ｓ５１２）。
【０１５７】
次に、制御部１２は画面上の映像による自動車の移動距離の値を算出する機能が制御部１２の判断で記憶部１０に設定されている場合は、自動録画機能による動画映像と音声の記憶停止が実施されるまで（Ｓ５１３）、画面上に映し出される静的物体にマーク画像を付与して１秒毎に前記マーク画像のＸ軸とＹ軸の座標値を測位し、前記測位毎に算出した画面上の移動距離の長さを用いて自動車の移動距離の値を算出する制御を繰り返すように（Ｓ５０７）にリターンするようになっている。自動録画機能による動画映像と音声の記憶停止が実施されると処理が終了するようになっている。
【０１５８】
次に図１８の告知送信の制御のフローチャート図、図１９の告知受信の制御のフローチャート図について説明する。本発明は公序良俗に反しない個人的自由な使用目的、防犯目的、仕事の効率化等の使用目的等の利用には特に問題ないが、公序良俗に反する盗撮等の犯罪の使用目的の悪意ある人間の使用が考えられるので告知機能を具備するようになっている。
【０１５９】
よって本発明は公序良俗に反しない個人的、社会的な自由な使用目的以外では、子供、女性、老人、自動車等が装着することによって防犯に役立つようにしている。
【０１６０】
そこで、万が一傾斜角度センサ部５、ＧＰＳ受信部２、地球磁気センサ部３が壊れていた場合や不良となっていた場合に警報音や警報音声ガイドが鳴らなかったり等を想定し、別の機能として自動録画機能が開始している場合は自動録画していることの告知を送信し、本発明の携帯電話機１を持っていた場合は前記告知を受信した場合に告知を示す表示装置（モニタ）６または表示装置（スピーカ）７の画面または音声で認識できるようになっているものである。
【０１６１】
告知の送受信は携帯電話機１での通話やインターネット網との通信手段の他にＢＬＵＥＴＯＯＴＨ、赤外線の電波を送受信する通信手段、半径２〜３ｍぐらいの電波を送受信することができる通信手段等の限られた狭い範囲で利用可能なアンテナ、無線部を具備して自動録画の告知の送受信を実施するようになっている。
【０１６２】
はじめに図１８の告知送信の制御のフローチャート図について説明する。携帯電話機１の主電源がＯＮになっている（Ｓ６０１）場合に、自動録画の告知の送信は選択スイッチ９の地球の重力に対して垂直に姿勢を保持できる方のすなわち人間使用の仕様を選択の場合は任意に告知を送信するかしないかの設定を操作部８で選択できるようになっているが、地球の重力に対して垂直に姿勢を保持できない方のすなわち自動車等の乗り物使用の仕様を選択した場合は予め告知を送信するように記憶部１０に設定されるようになっている（Ｓ６０２）。
【０１６３】
また、人間使用の仕様を選択した場合で告知の送信を選択しなかった場合は告知の送信をしない記憶部１０の設定で処理を終了する。操作部８の設定で告知の送信を選択した場合や地球の重力に対して垂直に姿勢を保持できない方のすなわち自動車等の乗り物使用の仕様を選択した場合は自動録画のときは告知を送信するように記憶部１０に設定する（Ｓ６０３）ようになっている。
【０１６４】
また、告知を示すデータは自動録画状態になった場合（Ｓ６０４）に、周囲約半径２〜３ｍぐらいの範囲に自動録画中であることの情報を無線部より出力する電波で送信する（Ｓ６０５）ようになっている。これによって、子供、女性、老人等の防犯の使用目的で使用する人にとっては、自己防衛を取ることができるようになる。
【０１６５】
また、公序良俗に反した使用目的で使用している人間は自動録画の時点で周囲に告知を送信することから盗撮等の犯罪が未然に防止できる効果が得られる。
【０１６６】
次に図１９の告知受信の制御のフローチャート図について説明する。携帯電話機１の主電源がＯＮになっている（Ｓ７０１）場合に、選択スイッチ９の設定位置に関係なく他の自動録画ができる携帯電話機１からの告知を受信するかしないかの設定を操作部８の選択で記憶部１０に設定（Ｓ７０２）できるようになっている。
【０１６７】
自動録画できる他の携帯電話機１からの告知を受信することを選択して記憶部１０に設定した（Ｓ７０２）場合は、告知を示すデータの電波を無線部が受信したときに告知音を表示装置（スピーカ）７または画面表示を表示装置（モニタ）６に出力することができる記憶部１０の設定が完了する（Ｓ７０３）ようになっている。
【０１６８】
そして、制御部１２は告知を示すデータの電波の受信する範囲ならば他の携帯電話機１からの告知送信範囲内ならば、いつでも受信して告知の有無の判断（Ｓ７０４）ができるようになっている。そして、いつでも他の携帯電話機１からの自動録画を開始していることの告知の電波を無線部が受信したら、受信した携帯電話機１の制御部１２は表示装置（スピーカ）７より音声の電子音の告知または表示装置（モニタ）６より画面表示の告知を出力する（Ｓ７０５）ようになっている。また、告知を示す電波の受信データは告知送信側の人間使用の仕様または自動車等の乗り物使用の仕様の選択スイッチ９の選択設定によって切替わるようにすることにより、受信側の表示装置（スピーカ）７と表示装置（モニタ）６の出力される電子音と画面表示は異なった音色と画面で告知を受信した人は動画モードの設定が判断できるようにすることが可能である。
【０１６９】
これによって、子供、女性、老人等の防犯の使用目的で使用する人にとっては、自己防衛を取ることができるようになる。また、公序良俗に反した使用目的で使用する人間は自動録画の時点で周囲に告知を送信することから盗撮等の犯罪が未然に防止できる効果が得られる。
【０１７０】
よって本発明は、公序良俗に反しない使用目的で使用する場合は、手に持つことや手操作が不要であることにより、人間または移動手段の自動車、トラック、バス、自動二輪、自転車、船舶、電車、等で自由な発想の動画映像と音声の記憶を残せることから新しい携帯電話機１の利用用途の考えが色々と増えるようになる。
【０１７１】
また、防犯の使用目的として所持し装着している子供、女性、老人等が行動している場合において、現在地の方位や座標を移動するような行動をした場合には必ず動画映像と音声がフラッシュメモリ等の記憶媒体の記憶部１０に記憶保存され、いつでも通信を経由して要求元のパソコンや携帯電話機の専用ソフトで両親等の保護者はいつでも動画映像と音声が確認できるようになっていることから、不審者等が存在した場合には至急直接に子供にアドバイスまたは父兄、学校の先生、警察への連絡または不審者に注意や警告をする等の対応が速くできる。そして、所持し装着している子供等の保護及び監督が容易に実現できるようになる。
【０１７２】
また、社会人においても通勤途中の記憶を残すレコーダの用い方による日記的使い方や仕事の営業や警察官等の外回りでの用い方も手軽にできるようにもなる。そして、いつでも上司の遠隔操作によりアドバイスが容易に受けられる手段が手に入る。
【０１７３】
また、この他自動車等の乗り物による移動手段に用いても自動車運転中の前方の動画映像の記憶を残すことができることにより万が一の事故時には状況証拠として容易に証明できるようになる。そして、警察の現場検証が容易になり捜査に要する負荷が軽減され捜査の効率が向上する。
【０１７４】
また、本発明を装着している人間、自動車等において、位置移動と方位移動が無いときは自動で動画映像と音声の記憶をしないようになっていることによる消費電力が節約されバッテリ１１が長持ちするとともに動画映像と音声の記憶開始と停止と撮影に関わる電気回路と、傾斜角度センサ部５の電源供給と電源切断を自動で実施することからも消費電力が節約されバッテリ１１が長持ちするようになっている。また、フラッシュメモリ等の記憶媒体に移動中以外の動画映像と音声を記憶保存しないことから記憶部１０の記憶容量に対しても節約できるようになっている。
【０１７５】
また、使用者は動画モードの設定及び動画映像と音声の記憶に関わる起動スイッチのＯＮ／ＯＦＦと記憶開始スイッチと停止スイッチの携帯電話機１を手に持っての手操作しなければならないという煩わしさが自動制御によって無くなることにより撮影者の負担が大幅に軽減できるとともに防犯に用いる場合は確実に通学や通勤途中等の用途に合わせて毎日通学や通勤途中の装着している人間の周りの記憶が日記のように残せることが可能となる。よって、バッテリ１１が長持ちすることにより、通常の電話として長い時間の使用が可能となる。
【０１７６】
上記実施例では制御部１２の判断において、地球磁気センサ部３による方位の変化とＧＰＳ受信部２による現在地の座標の変化の移動があったと判断された場合に電源供給を開始し動画映像と音声の記憶を始め、また、静止状態になったと判断されたならば記憶を停止し電源供給をＯＦＦするようになっているが、反対の論理で判断を静止状態になったと判断された場合に自動で電源供給を開始し動画映像と音声の記憶を始め方位の変化、現在位置の変化の移動があったと判断された場合に記憶を停止し電源供給をＯＦＦするような使い方も可能である。例えば、新幹線、電車等で搭乗口の動画映像と音声を乗客の安全と保護目的や運行管理等において指令室で監督するような使用手段に応用が可能である。
【図面の簡単な説明】
【０１７７】
【図１】本発明の携帯電話機のカメラレンズ、ＧＰＳ、各種センサ、選択スイッチ等構成図である。
【図２】本発明の地球磁気センサの方向移動検知における動画映像と音声の記憶に関わる制御の判断を示す上面図である。
【図３】本発明のＧＰＳの位置移動検知における動画映像と音声の記憶に関わる制御の判断を示す上面図である。
【図４】本発明の傾斜角度センサの傾斜角度検知における動画映像と音声の記憶に関わる制御の前後方向の良否の判断を示す側面図である。
【図５】本発明の傾斜角度センサの傾斜角度検知における動画映像と音声の記憶に関わる制御の左右方向の良否の判断を示す前面図である。
【図６】本発明のカバン（ランドセル）への携帯電話機装着実施例を示す前面図である。
【図７】本発明の洋服（ジャケット）への携帯電話機装着実施例を示す前面図である。
【図８】本発明の自動車への携帯電話機装着を示す実施例上面図である。
【図９】本発明の地球の重力に対して垂直に姿勢を保持できるものと保持できないものを示す前後傾斜における姿勢図である。
【図１０】本発明の地球の重力に対して垂直に姿勢を保持できるものと保持できないものを示す左右傾斜における姿勢図である。
【図１１】本発明の画像を用いた移動距離を算出する実施例図である。
【図１２】本発明の節電型自動録画機能付携帯電話機に関わる構成ブロック図である。
【図１３】本発明の選択スイッチとＧＰＳ受信状態による各種設定変更の制御のフローチャート図である
【図１４】本発明の地球の重力に対して垂直に姿勢が保持できる方を選択した場合の制御のフローチャート図である。
【図１５】本発明の地球の重力に対して垂直に姿勢が保持できない方を選択した場合の制御のフローチャート図である。
【図１６】本発明の遠隔操作の制御のフローチャート図である。
【図１７】本発明の画像を用いた移動距離を算出する制御のフローチャート図である。
【図１８】本発明の告知送信の制御のフローチャート図である。
【図１９】本発明の告知受信の制御のフローチャート図である。
【符号の説明】
【０１７８】
１…携帯電話機、２…ＧＰＳ受信部、３…地球磁気センサ部、４…撮影映像受像部、５…傾斜角度センサ部、６…表示装置（モニタ）、７…表示装置（スピーカ）、８…操作部、９…選択スイッチ、１０…記憶部、１１…バッテリ、１２…制御部
【図１】
2005341543.tif 000003
【図２】
2005341543.tif 000004
【図３】
2005341543.tif 000005
【図４】
2005341543.tif 000006
【図５】
2005341543.tif 000007
【図６】
2005341543.tif 000008
【図７】
2005341543.tif 000009
【図８】
2005341543.tif 000010
【図９】
2005341543.tif 000011
【図１０】
2005341543.tif 000012
【図１１】
2005341543.tif 000013
【図１２】
2005341543.tif 000014
【図１３】
2005341543.tif 000015
【図１４】
2005341543.tif 000016
【図１５】
2005341543.tif 000017
【図１６】
2005341543.tif 000018
【図１７】
2005341543.tif 000019
【図１８】
2005341543.tif 000020
【図１９】
2005341543.tif 000021